(57)【要約】【課題】ゴムなどの弾性体を用いないヒートポンプ装置で空気調和装置を構成する際に、装置の大型化や構造の複雑化を防止できるようにする。【解決手段】電気熱量効果が生じる材料であるエレクトロカロリック冷却材料（21）と、エレクトロカロリック冷却材料（21）に電源（25）から電界を印加する一対の電極（22）とを備えた冷却加熱モジュール（20）と、エレクトロカロリック冷却材料（21）への電界の印加と解除を切り換える電圧制御器（35）とを空気調和装置に設ける。【選択図】図２
2013160460.tif 000002
【特許請求の範囲】
【請求項１】
空気の冷却と加熱を行う冷却加熱モジュールであって、
エレクトロカロリック冷却材料（21）と、該エレクトロカロリック冷却材料（21）に電源（25）から電界を印加するように該エレクトロカロリック冷却材料（21）に設けられた一対の電極（22）とを備えていることを特徴とする冷却加熱モジュール。
【請求項２】
エレクトロカロリック冷却材料（21）と、該エレクトロカロリック冷却材料（21）に電源（25）から電界を印加するように該エレクトロカロリック冷却材料（21）に設けられた一対の電極（22）とを備えた冷却加熱モジュール（20）と、
上記エレクトロカロリック冷却材料（21）への電界の印加と解除を切り換える電圧制御器（35）と、
を備えていることを特徴とする冷却加熱ユニット。
【請求項３】
請求項２において、
上記電圧制御器（35）は、空気加熱時に、上記電源（25）からエレクトロカロリック冷却材料（21）へ電界を印加するように構成されていることを特徴とする冷却加熱ユニット。
【請求項４】
請求項２において、
上記電圧制御器（35）は、空気冷却時に、上記電源（25）からエレクトロカロリック冷却材料（21）への電界印加を解除するように構成されていることを特徴とする冷却加熱ユニット。
【請求項５】
請求項２において、
上記電圧制御器（35）は、空気加熱時に上記電源（25）からエレクトロカロリック冷却材料（21）へ電界を印加する第１動作と、空気冷却時に上記電源（25）からエレクトロカロリック冷却材料（21）への電界印加を解除する第２動作を、交互に行うように構成されていることを特徴とする冷却加熱ユニット。
【請求項６】
請求項５において、
上記電圧制御器（35）は、上記エレクトロカロリック冷却材料（21）に印加する電界の大きさを変化させることにより該エレクトロカロリック冷却材料（21）の発熱量を調整し、冷却加熱能力を調整するように構成されていることを特徴とする冷却加熱ユニット。
【請求項７】
請求項５において、
上記電圧制御器（35）は、エレクトロカロリック冷却材料（21）の全体に対して電界を印加する割合を変化させることにより該エレクトロカロリック冷却材料（21）の発熱量を調整し、冷却加熱能力を調整するように構成されていることを特徴とする冷却加熱ユニット。
【請求項８】
請求項５において、
上記電圧制御器（35）は、上記第１動作と第２動作を繰り返す時間間隔を変化させることにより上記エレクトロカロリック冷却材料（21）の発熱量を調整し、冷却加熱能力を調整するように構成されていることを特徴とする冷却加熱ユニット。
【請求項９】
エレクトロカロリック冷却材料（21）と、該エレクトロカロリック冷却材料（21）に電源（25）から電界を印加するように該エレクトロカロリック冷却材料（21）に設けられた一対の電極（22）とを備えた冷却加熱モジュール（20）と、
上記エレクトロカロリック冷却材料（21）への電界の印加と解除を切り換える電圧制御器（35）と、
上記冷却加熱モジュール（20）を通過した空気を室内へ供給する空気通路（P）とを備えていることを特徴とする空気調和装置。
【請求項１０】
請求項９において、
上記空気通路（P）は、上記冷却加熱モジュール（20）で冷却した空気を室内に導入するように構成されていることを特徴とする空気調和装置。
【請求項１１】
請求項９において、
上記空気通路（P）は、上記冷却加熱モジュール（20）で加熱した空気を室内に導入するように構成されていることを特徴とする空気調和装置。
【請求項１２】
請求項９において、
上記冷却加熱モジュール（20）で冷却した空気を室内に導入する冷房動作と、上記冷却加熱モジュール（20）で加熱した空気を室内に導入する暖房動作とを切り換え可能に構成されていることを特徴とする空気調和装置。
【請求項１３】
請求項９から１２の何れか１つにおいて、
上記冷却加熱モジュール（20）は、筒状に形成された上記エレクトロカロリック冷却材料（21）の内周面及び外周面に上記電極（22）が設けられていることを特徴とする空気調和装置。
【請求項１４】
請求項９から１２の何れか１つにおいて、
上記冷却加熱モジュール（20）は、上記エレクトロカロリック冷却材料（21）を挟んで両側に上記電極（22）が設けられていることを特徴とする空気調和装置装置。
【請求項１５】
請求項９から１２の何れか１つにおいて、
上記冷却加熱モジュール（20）は、チューブ状またはプレート状に形成された上記エレクトロカロリック冷却材料（21）の表面及び裏面に上記電極（22）が設けられていることを特徴とする空気調和装置。
【請求項１６】
請求項９から１２の何れか１つにおいて、
上記冷却加熱モジュール（20）は、エレクトロカロリック冷却材料（21）で形成された複数のフィン（102）を搬送する駆動部材（101）を備え、上記空気通路（P）内で上記エレクトロカロリック冷却材料（21）への電界の印加と解除を切り換えるように構成されていることを特徴とする空気調和装置。
【発明の詳細な説明】
【技術分野】
【０００１】
本発明は、空気の冷却と加熱を行う冷却加熱モジュール、該冷却加熱モジュールと電圧制御器とからなる冷却加熱ユニット、及び該冷却加熱モジュールを用いて室内の温度を調節するための空気調和装置に関するものである。
【背景技術】
【０００２】
従来、ゴムなどの弾性体を断熱伸長させるときに発熱し、断熱収縮させるときに吸熱する性質を利用したヒートポンプ装置が知られている（例えば、特許文献１，２参照）。このヒートポンプ装置を空気調和装置に適用すると、上記弾性体の断熱伸長時に加熱した空気を室内に供給すると暖房運転を行うことができ、上記弾性体の断熱収縮時に冷却した空気を室内に供給すると冷房運転を行うことができる。
【先行技術文献】
【特許文献】
【０００３】
【特許文献１】特開平３−２８６９７５号公報
【特許文献２】特開平１０−２５９９６５号公報
【発明の概要】
【発明が解決しようとする課題】
【０００４】
しかしながら、ゴムなどの弾性体を収縮させて空気を加熱したり冷却したりする構成では、弾性体を伸縮させるための機構が必要になり、装置の構造が複雑になるとともに装置が大型化してしまう。
【０００５】
本発明は、このような問題点に鑑みてなされたものであり、その目的は、ゴムなどの弾性体を用いないヒートポンプ装置で空気調和装置を構成する際に、装置の大型化や構造の複雑化を防止できるようにすることである。
【課題を解決するための手段】
【０００６】
第１の発明は、空気の冷却と加熱を行う冷却加熱モジュール（20）を前提としている。
【０００７】
そして、この冷却加熱モジュール（20）は、エレクトロカロリック冷却材料（21）と、該エレクトロカロリック冷却材料（21）に電源（25）から電界を印加するように該エレクトロカロリック冷却材料（21）に設けられた一対の電極（22）とを備えていることを特徴としている。
【０００８】
この第１の発明では、エレクトロカロリック冷却材料（21）が有する電気熱量効果により、エレクトロカロリック冷却材料（21）に電圧（電界）を印加すると該エレクトロカロリック冷却材料（21）が発熱する。また、エレクトロカロリック冷却材料（21）への電界の印加を解除（電界印加から一定時間経過して、ある程度冷えてから電界印加を解除）すると、エレクトロカロリック冷却材料（21）が常温より冷却される。
【０００９】
第２の発明は、エレクトロカロリック冷却材料（21）と、該エレクトロカロリック冷却材料（21）に電源（25）から電界を印加するように該エレクトロカロリック冷却材料（21）に設けられた一対の電極（22）とを備えた冷却加熱モジュール（20）と、上記エレクトロカロリック冷却材料（21）への電界の印加と解除を切り換える電圧制御器（35）とを備えていることを特徴とする冷却加熱ユニットに関するものである。
【００１０】
この第２の発明では、電圧制御器（35）によりエレクトロカロリック冷却材料（21）への電界の印加と解除を設定することにより、空気を冷却する冷却動作や、空気を加熱する加熱動作を行うことができる。
【００１１】
第３の発明は、第２の発明において、上記電圧制御器（35）が、空気加熱時に、上記電源（25）からエレクトロカロリック冷却材料（21）へ電界を印加するように構成されていることを特徴としている。
【００１２】
この第３の発明では、電圧制御器（35）により、エレクトロカロリック冷却材料（21）に電界が印加され、加熱動作が行われる。
【００１３】
第４の発明は、第２の発明において、上記電圧制御器（35）が、空気冷却時に、上記電源（25）からエレクトロカロリック冷却材料（21）への電界印加を解除するように構成されていることを特徴としている。
【００１４】
この第４の発明では、電圧制御器（35）により、エレクトロカロリック冷却材料（21）への電界の印加が解除され、冷却動作が行われる。
【００１５】
第５の発明は、第２の発明において、上記電圧制御器（35）が、空気加熱時に上記電源（25）からエレクトロカロリック冷却材料（21）へ電界を印加する第１動作と、空気冷却時に上記電源（25）からエレクトロカロリック冷却材料（21）への電界印加を解除する第２動作を、交互に行うように構成されていることを特徴としている。
【００１６】
この第５の発明では、電圧制御器（35）により、エレクトロカロリック冷却材料（21）に電界が印加される加熱動作と、エレクトロカロリック冷却材料（21）への電界の印加が解除される冷却動作とが交互に行われる。
【００１７】
第６の発明は、第５の発明において、上記電圧制御器（35）が、上記エレクトロカロリック冷却材料（21）に印加する電界の大きさを変化させることにより該エレクトロカロリック冷却材料（21）の発熱量を調整し、冷却加熱能力を調整するように構成されていることを特徴としている。
【００１８】
この第６の発明では、エレクトロカロリック冷却材料（21）に印加する電界の大きさを電圧制御器（35）で変化させることによりエレクトロカロリック冷却材料（21）の発熱量が変化し、冷却加熱能力が調整される。
【００１９】
第７の発明は、第５の発明において、上記電圧制御器（35）が、エレクトロカロリック冷却材料（21）の全体に対して電界を印加する割合を変化させることにより該エレクトロカロリック冷却材料（21）の発熱量を調整し、冷却加熱能力を調整するように構成されていることを特徴としている。
【００２０】
この第７の発明では、エレクトロカロリック冷却材料（21）の全体に対して電界を印加する割合を変化させることによりエレクトロカロリック冷却材料（21）の発熱量を調整し、冷却加熱能力が調整される。
【００２１】
第８の発明は、第５の発明において、上記電圧制御器（35）が、上記第１動作と第２動作を繰り返す時間間隔を変化させることにより上記エレクトロカロリック冷却材料（21）の発熱量を調整し、冷却加熱能力を調整するように構成されていることを特徴としている。
【００２２】
この第８の発明では、加熱動作と冷却動作を繰り返す時間間隔を変化させることによりエレクトロカロリック冷却材料（21）の発熱量を調整し、冷却加熱能力が調整される。
【００２３】
第９の発明は、エレクトロカロリック冷却材料（21）と、該エレクトロカロリック冷却材料（21）に電源（25）から電界を印加するように該エレクトロカロリック冷却材料（21）に設けられた一対の電極（22）とを備えた冷却加熱モジュール（20）と、上記エレクトロカロリック冷却材料（21）への電界の印加と解除を切り換える電圧制御器（35）と、上記冷却加熱モジュール（20）を通過した空気を室内へ供給する空気通路（P）とを備えていることを特徴とする空気調和装置に関するものである。
【００２４】
この第９の発明では、電圧制御器（35）によりエレクトロカロリック冷却材料（21）への電界の印加と解除を設定することにより、空気を冷却する冷却動作や、空気を加熱する加熱動作を行うことができ、処理した空気を空気通路（P）から室内へ供給することができる。
【００２５】
第１０の発明は、第９の発明において、上記空気通路（P）が、上記冷却加熱モジュール（20）で冷却した空気を室内に導入するように構成されていることを特徴としている。
【００２６】
この第１０の発明では、電圧制御器（35）によりエレクトロカロリック冷却材料（21）への電界印加が解除され、冷却動作が行われて冷却された空気が室内へ供給される。
【００２７】
第１１の発明は、第９の発明において、上記空気通路（P）が、上記冷却加熱モジュール（20）で加熱した空気を室内に導入するように構成されていることを特徴としている。
【００２８】
この第１１の発明では、電圧制御器（35）によりエレクトロカロリック冷却材料（21）に電界が印加され、加熱動作が行われて加熱された空気が室内へ供給される。
【００２９】
第１２の発明は、第９の発明において、上記冷却加熱モジュール（20）で冷却した空気を室内に導入する冷房動作と、上記冷却加熱モジュール（20）で加熱した空気を室内に導入する暖房動作とを切り換え可能に構成されていることを特徴としている。
【００３０】
この第１２の発明では、電圧制御器（35）によりエレクトロカロリック冷却材料（21）への電界印加が解除され、冷却された空気が室内へ供給される冷却動作と、エレクトロカロリック冷却材料（21）に電界が印加され、加熱された空気が室内へ供給される加熱動作を切り換えて運転することができる。
【００３１】
第１３の発明は、第９から第１２の発明の何れか１つにおいて、上記冷却加熱モジュール（20）が、筒状に形成された上記エレクトロカロリック冷却材料（21）の内周面及び外周面に上記電極（22）が設けられていることを特徴としている。
【００３２】
この第１３の発明では、筒状のエレクトロカロリック冷却材料（21）を用いることにより、簡単な構成で空気の加熱や冷却を行うことができる。
【００３３】
第１４の発明は、第９から第１２の発明の何れか１つにおいて、上記冷却加熱モジュール（20）が、上記エレクトロカロリック冷却材料（21）を挟んで両側に上記電極（22）が設けられていることを特徴としている。
【００３４】
この第１４の発明では、エレクトロカロリック冷却材料（21）を挟んで両側に電極（22）を設けることにより、空気の加熱や冷却を行うことができる。
【００３５】
第１５の発明は、第９から第１２の発明の何れか１つにおいて、上記冷却加熱モジュール（20）が、チューブ状またはプレート状に形成された上記エレクトロカロリック冷却材料（21）の表面及び裏面に上記電極（22）が設けられていることを特徴としている。
【００３６】
この第１５の発明では、チューブ状またはプレート状のエレクトロカロリック冷却材料（21）を用いることにより、簡単な構成で空気の加熱や冷却を行うことができる。
【００３７】
第１６の発明は、第９から第１２の発明の何れか１つにおいて、上記冷却加熱モジュール（20）が、エレクトロカロリック冷却材料（21）で形成された複数のフィン（102）を搬送する駆動部材（101）を備え、上記空気通路（P）内で上記エレクトロカロリック冷却材料（21）への電界の印加と解除を切り換えるように構成されていることを特徴としている。
【００３８】
この第１６の発明では、エレクトロカロリック冷却材料（21）で形成した複数のフィン（102）を用い、このフィン（102）を駆動部材（101）で搬送することにより、空気の加熱や冷却を行うことができる。
【発明の効果】
【００３９】
上記第１の発明によれば、エレクトロカロリック冷却材料（21）が有する電気熱量効果により、エレクトロカロリック冷却材料（21）に電圧（電界）を印加すると該エレクトロカロリック冷却材料（21）が発熱するので、空気に熱を与えて室内に供給することにより暖房運転を行うことができる。また、エレクトロカロリック冷却材料（21）への電界の印加を解除するとエレクトロカロリック冷却材料（21）が冷却され、周囲の空気も冷却される。したがって、冷却された空気を室内に供給することにより冷房運転を行うことができる。
【００４０】
そして、本発明によれば、ゴムなどの弾性体を採用していないので、弾性体を伸縮させるための機構は不要である。したがって、装置の構造が複雑になったり装置が大型化したりするのを防止できる。
【００４１】
上記第２の発明によれば、電圧制御器（35）によりエレクトロカロリック冷却材料（21）への電界の印加と解除を設定することにより、空気を冷却する冷却動作と、空気を加熱する加熱動作を行うことができる。そして、冷却加熱ユニットをコンパクトに構成できるから、この冷却加熱ユニットを空気調和装置に用いることにより、構造の複雑化や大型化を抑えた空気調和装置を容易に実現できるし、冷房運転や暖房運転の設定も容易に行える。
【００４２】
上記第３から第５の発明によれば、冷房運転のみを行う構成（第３の発明）や、暖房運転のみを行う構成（第４の発明）、さらには冷房運転と暖房運転とを切り換えて行う構成（第５の発明）を容易に実現することができる。
【００４３】
上記第６の発明によれば、電界印加の大きさに基づいてエレクトロカロリック冷却材料（21）の発熱量を調整し、冷却加熱能力を容易に調整することができるので、空調負荷に応じた運転をすることが可能となる。
【００４４】
上記第７の発明によれば、電界印加の割合に基づいてエレクトロカロリック冷却材料（21）の発熱量を調整し、冷却加熱能力を容易に調整することができるので、空調負荷に応じた運転をすることが可能となる。
【００４５】
上記第８の発明によれば、電界印加の時間間隔に基づいてエレクトロカロリック冷却材料（21）の発熱量を調整し、冷却加熱能力を容易に調整することができるので、空調負荷に応じた運転をすることが可能となる。
【００４６】
上記第９の発明によれば、電圧制御器（35）によりエレクトロカロリック冷却材料（21）への電界の印加と解除を設定することにより、空気を冷却する冷却動作や、空気を加熱する加熱動作を行うことができ、処理した空気を空気通路（P）から室内へ供給することができる。
【００４７】
上記第１０から第１２の発明によれば、空気調和装置において、冷房運転のみを行う構成（第１０の発明）や、暖房運転のみを行う構成（第１１の発明）、さらには冷房運転と暖房運転とを切り換えて行う構成（第１２の発明）を容易に実現することができる。
【００４８】
上記第１３から第１６の発明によれば、冷却加熱モジュール（20）の構成を特定したことにより、第９から第１２の発明の空気調和装置を容易に実現することが可能になる。
【図面の簡単な説明】
【００４９】
【図１】図１は、本発明の実施形態１及び実施形態４に係る空気調和装置を室内に設置した状態を示す概略図であり、図１（Ａ）が冷却動作の運転状態を示し、図１（Ｂ）が加熱動作の運転状態を示している。
【図２】図２（Ａ）は、図１の空気調和装置に用いられる冷却加熱モジュールの概略構成図であり、図２（Ｂ）は調湿モジュールの概略構成図である。
【図３】図３（Ａ）は冷却加熱モジュールの概略構成図において加熱動作の状態を示す図であり、図３（Ｂ）は冷却加熱モジュールの概略構成図において冷却動作の状態を示す図である。
【図４】図４は、実施形態１の変形例１及び実施形態４の変形例１に係る空気調和装置を室内に設置した状態を示す概略図であり、図４（Ａ）は第１の運転状態、図４（Ｂ）は第２の運転状態を示している。
【図５】図５は、実施形態１の変形例２及び実施形態４の変形例２に係る空気調和装置を室内に設置した状態を示す概略図であり、図５（Ａ）は第１の運転状態、図５（Ｂ）は第２の運転状態を示している。
【図６】図６は、実施形態１の変形例３及び実施形態４の変形例３に係る空気調和装置を設置した状態を示す概略図である。
【図７】図７は、図６の空気調和装置の第１の運転動作を示す図であり、図７（Ａ）は平面構造図、図７（Ｂ）は左側面構造図、図７（Ｃ）は右側面構造図である。
【図８】図８は、図６の空気調和装置の第２の運転動作を示す図であり、図８（Ａ）は平面構造図、図８（Ｂ）は左側面構造図、図８（Ｃ）は右側面構造図である。
【図９】図９は、実施形態１の変形例４及び実施形態４の変形例４に係る空気調和装置を室内に設置した状態を示す概略図である。
【図１０】図１０は、実施形態２及び実施形態４に係る空気調和装置を室内に設置した状態を示す概略図であり、図１０（Ａ）が加熱動作の運転状態を示し、図１０（Ｂ）が冷却動作の運転状態を示している。
【図１１】図１１は、実施形態２の変形例１及び実施形態４の変形例１に係る空気調和装置を室内に設置した状態を示す概略図であり、図１１（Ａ）は第１の運転状態、図１１（Ｂ）は第２の運転状態を示している。
【図１２】図１２は、実施形態２の変形例２及び実施形態４の変形例２に係る空気調和装置を室内に設置した状態を示す概略図であり、図１２（Ａ）は第１の運転状態、図１２（Ｂ）は第２の運転状態を示している。
【図１３】図１３は、実施形態２の変形例３及び実施形態４の変形例３に係る空気調和装置を設置した状態を示す概略図である。
【図１４】図１４は、図１３の空気調和装置の第１の運転動作を示す図であり、図１４（Ａ）は平面構造図、図１４（Ｂ）は左側面構造図、図１４（Ｃ）は右側面構造図である。
【図１５】図１５は、図１３の空気調和装置の第２の運転動作を示す図であり、図１５（Ａ）は平面構造図、図１５（Ｂ）は左側面構造図、図１５（Ｃ）は右側面構造図である。
【図１６】図１６は、実施形態２の変形例４及び実施形態４の変形例４に係る空気調和装置を室内に設置した状態を示す概略図である。
【図１７】図１７は、実施形態３及び実施形態４の変形例５に係る空気調和装置を室内に設置した状態を示す概略図であり、図１７（Ａ）は第１の運転状態、図１７（Ｂ）は第２の運転状態を示している。
【図１８】図１８は、実施形態３の変形例１及び実施形態４の変形例６に係る空気調和装置を室内に設置した状態を示す概略図である。
【図１９】図１９は、実施形態３の変形例２及び実施形態４の変形例５に係る空気調和装置を室内に設置した状態を示す概略図であり、図１９（Ａ）は第１の運転状態、図１７（Ｂ）は第２の運転状態を示している。
【図２０】図２０は、実施形態３の変形例３及び実施形態４の変形例６に係る空気調和装置を室内に設置した状態を示す概略図である。
【図２１】図２１は、実施形態５に係る冷却加熱モジュールの構造を示す斜視図である。
【図２２】図２２（Ａ）は、図２１の冷却加熱モジュールの部分拡大断面図であり、図２２（Ｂ）は図２２（Ａ）の変形例を示す図である。
【図２３】図２３は、実施形態５の変形例１に係る冷却加熱モジュールの構造を示す斜視図である。
【図２４】図２４は、実施形態５の変形例２に係る冷却加熱モジュールの構造を示す斜視図である。
【図２５】図２５は、実施形態５の変形例３に係る冷却加熱モジュールの構造を示す斜視図である。
【図２６】図２６は、実施形態６に係る冷却加熱モジュールの構造を示す断面図である。
【図２７】図２７は、実施形態７に係る冷却加熱モジュールの構造を示す断面図である。
【図２８】図２８は、実施形態８に係る冷却加熱モジュールの横断面構造図である。
【図２９】図２９は、実施形態８に係る冷却加熱モジュールの縦断面構造図である。
【図３０】図３０は、実施形態８に係る冷却加熱モジュールの平面構造図である。
【図３１】図３１は、実施形態の冷却加熱モジュールに用いられているフィンの構造図であり、図３１（Ａ）は正面図、図３１（Ｂ）は側面図である。
【発明を実施するための形態】
【００５０】
以下、本発明の実施形態を図面に基づいて詳細に説明する。
【００５１】
《発明の実施形態１》
本発明の実施形態１について説明する。
【００５２】
−装置の全体構成−
図１は、実施形態１に係る空気調和装置（1）を建物（2）の室内（空調対象空間）（3）に設置した状態を示す概略図であり、図１（Ａ）が冷却動作（吸熱動作）の運転状態を示し、図１（Ｂ）が加熱動作（放熱動作）の運転状態を示している。実施形態１の空気調和装置（1）は、冷房専用機として構成されている。
【００５３】
この空気調和装置（1）は、ケーシング（10）と、ケーシング（10）内に収納された冷却加熱モジュール（20）と、冷却加熱モジュール（20）に空気を流すファン（30）と、冷却加熱モジュール（20）に電源から電界を印加する電圧制御器（35）とを備えている。冷却加熱モジュール（20）と電圧制御器（35）とにより冷却加熱ユニット（5）が構成されている。また、ケーシング（10）とその内部に設けられた機能部品により室内ユニット（U）が構成されている。
【００５４】
ケーシング（10）内には、該ケーシング（10）内に導入された空気を冷却加熱モジュール（20）に通すための空気通路（P）が形成されている。具体的には、室内（3）からケーシング（10）内に吸い込まれた空気は空気通路（P）を通る際に冷却加熱モジュール（20）で処理されて室内（3）に戻される。また、この空気調和装置（1）は、後述するように間欠的に室内（3）を冷やすように構成されており、室内（3）の冷却を休止しているときには、室外からケーシング（10）内に吸い込まれた空気が空気通路（P）を通る際に冷却加熱モジュール（20）から熱を奪って再び室外に放出される。
【００５５】
以上の空気流れを実現するために、この空気調和装置（1）は、室内からの吸込空気、室内への吹出空気、室外からの吸込空気、及び室外への吹出空気が混合しないように、図示していない仕切板やダンパ等でケーシング（10）内が区画されている。
【００５６】
−冷却加熱モジュール−
冷却加熱モジュール（20）は、概略の構成を図２（Ａ）に示すように、エレクトロカロリック冷却材料（21）と、該エレクトロカロリック冷却材料（21）に電源（25）から電界を印加するように該エレクトロカロリック冷却材料（21）の表面に設けられた一対の電極（22）とを備えている。
【００５７】
上記エレクトロカロリック冷却材料（21）は、電気熱量効果（ElectroCaloric Effect)が生じる材料であり、電界を印加すると外部へ放熱し、電界の印加を解除すると外部から吸熱する。言い換えると、外部から電界がかけられたエントロピーの小さい状態で電界を除去すると吸熱してエントロピーが大きくなり、エントロピーが大きな状態で電界を印加すると放熱してエントロピーが小さくなる。例えばエントロピーが小さな状態で断熱して電界を除去すると、分子運動からエネルギを奪って材料が冷える。
【００５８】
したがって、図３（Ａ）に示すようにエレクトロカロリック冷却材料（21）に電圧（電界）を印加すると、エレクトロカロリック冷却材料（21）が発熱し、電極（22）が加熱される。冷却加熱モジュール（20）を通過した空気は温度が上昇する。逆に図３（Ｂ）に示すようにエレクトロカロリック冷却材料（21）への電界の印加を解除（電界印加から一定時間経過して、ある程度冷えてから電界印加を解除）すると、エレクトロカロリック冷却材料（21）が吸熱し、電極（22）が冷却される。冷却加熱モジュール（20）を通過した空気は温度が低下する。この空気調和装置（1）では、エレクトロカロリック冷却材料（21）の加熱動作と冷却動作が交互に行われ、冷却動作を用いた冷房運転が間欠的に行われる。
【００５９】
なお、エレクトロカロリック冷却材料（21）は、冷却加熱中には動作開始から能力のピークを越えると能力が低下する。そのため、冷却動作と加熱動作が交互に切り換えられる。
【００６０】
エレクトロカロリック冷却材料（21）の具体例として、poly(vinylidene fluoride-trifluoroethylene)を挙げることができる。特に、上記材料をP(VDF-TrFE)と表すと、VDFが90〜10モル％、TrFEが10〜90モル％で、合計が100モル％になる組成のものを用いることができる。また、好ましくは、VDFが80〜20モル％のものを用いるとよい。
【００６１】
なお、上記冷却加熱モジュール（20）は、図２（Ｂ）に示すように、電極（25）の表面に吸着剤を塗布して吸着層（23）を形成することにより、空気中の水分の吸着と空気中への水分の放出を行う調湿モジュール（24）として構成することができる。この調湿モジュール（24）は、エレクトロカロリック冷却材料（21）に電界を印加して吸着層（23）を加熱すると吸着層（23）の水分が放出されるので空気を加湿することができ、エレクトロカロリック冷却材料（21）への電界の印加を解除して吸着層（23）を冷却すると、空気中の水分を吸着層（23）で吸着して空気を減湿することができる。
【００６２】
詳細は後述するが、図１７〜図２０の実施形態では、冷却加熱モジュール（20）と調湿モジュール（24）を併用することにより、空気調和装置（1）において除湿冷房や加湿暖房を行えるようにしている。
【００６３】
−電界印加動作−
上記電圧制御器（35）は、図３において、上記エレクトロカロリック冷却材料（21）に印加する電界の大きさを変化させることにより該エレクトロカロリック冷却材料（21）の発熱量を調整し、冷却加熱能力を調整するように構成されている。
【００６４】
また、上記電圧制御器（35）は、図３において、エレクトロカロリック冷却材料（21）の全体のうち、電界を印加する部分の割合を変化させることにより該エレクトロカロリック冷却材料（21）の発熱量を調整し、冷却加熱能力を調整するように構成してもよい。
【００６５】
さらに、上記電圧制御器（35）は、上記冷却動作と加熱動作を繰り返す時間間隔を変化させることにより上記エレクトロカロリック冷却材料（21）の発熱量を調整し、冷却加熱能力を調整するように構成してもよい。
【００６６】
−運転動作−
この空気調和装置（1）では冷房運転のみが行われる。
【００６７】
具体的には、図１（Ａ）の冷却動作においては、それまで加熱されていた冷却加熱モジュール（20）への電界の印加が解除される。そうすると、図２，図３の電極（22）が冷却され、冷却加熱モジュール（20）が空気（室内空気（RA））から吸熱する。したがって、図１（Ａ）に示すように、ケーシング（10）内に導入された室内空気（RA）が冷却され、その空気が供給空気（SA）として室内に戻されて室内が冷房される。
【００６８】
図１（Ｂ）の加熱動作時は、ファン（30）の回転方向が切り換えられ、室外空気（OA）がケーシング（10）に取り込まれるとともに冷却加熱モジュール（20）で処理されてから排出空気（EA）として室外へ放出される。このとき、冷却加熱モジュール（20）のエレクトロカロリック冷却材料（21）に電界が印加される。そうすると、電極（22）が加熱され、冷却加熱モジュール（20）が放熱する。したがって、この加熱動作のときには、冷却加熱モジュール（20）を通って加熱された空気が室外に排出される。
【００６９】
本実施形態では、図１（Ａ）の冷却動作と図１（Ｂ）の加熱動作を繰り返し行うことにより、冷房運転が間欠的に行われる。
【００７０】
−実施形態１の効果−
本実施形態によれば、冷却加熱モジュール（20）には、ゴムなどの弾性体は採用していない。ここで、ゴムのような弾性体を冷却加熱モジュールに用いると、上記弾性体を伸縮させるための機構が必要になり、空気調和装置（1）の構造が複雑になるとともに装置（1）が大型化してしまうのに対して、本実施形態によれば、上記冷却加熱モジュール（20）に上記弾性体を用いていないので、空気調和装置（20）の大型化や構造の複雑化を防止することができる。
【００７１】
また、本実施形態では、エレクトロカロリック冷却材料（21）の発熱量を調整し、冷却加熱能力を調整することができるので、空調負荷に応じた運転をすることが可能である。
【００７２】
−実施形態１の変形例−
（変形例１）
図４に示す変形例１は、２つの室内ユニット（U1，U2）を空調対象の室内（3）に設置するように構成したものである。図では、部屋の対向する壁面の一方（図の右側の壁面）に第１室内ユニット（U1）が設置され、壁面の他方（図の左側の壁面）に第２室内ユニット（U2）が設置されている。各室内ユニット（U1，U2）の構成は図１の空気調和装置（1）の室内ユニット（U）と同じであるため、各室内ユニット（U1，U2）の構成については説明を省略する。なお、室内ユニット（U1，U2）には、それぞれ空気通路（P1，P2）が形成されている。
【００７３】
図４（Ａ）は、第１室内ユニット（U1）で冷却動作を行い、第２室内ユニット（U2）で加熱動作を行う状態を示している。第１室内ユニット（U1）では、冷却加熱モジュール（20）のエレクトロカロリック冷却材料（21）への電界の印加が解除される。したがって、第１室内ユニット（U1）の冷却加熱モジュール（20）が吸熱し、ケーシング（10）に取り込まれた室内空気（RA）が冷却される。そして、冷却された空気が供給空気（SA）として室内（3）へ供給される。
【００７４】
一方、第２室内ユニット（U2）では、室外空気（OA）をケーシング（10）に取り入れて処理した後に排出する方向へファン（30）が回転し、同時に冷却加熱モジュール（20）のエレクトロカロリック冷却材料（21）に電界が印加される。したがって、冷却加熱モジュール（20）の熱を室外空気（OA）が奪い、排出空気（EA）として室外へ放出される。
【００７５】
図４（Ｂ）は、第２室内ユニット（U2）で冷却動作を行い、第１室内ユニット（U1）で加熱動作を行う状態を示している。第２室内ユニット（U2）では、冷却加熱モジュール（20）のエレクトロカロリック冷却材料（21）への電界の印加が解除される。したがって、第２室内ユニット（U2）の冷却加熱モジュール（20）が吸熱し、ケーシング（10）に取り込まれた室内空気（RA）が冷却される。そして、冷却された空気が供給空気（SA）として室内へ供給される。
【００７６】
一方、第１室内ユニット（U1）では、室外空気（OA）をケーシング（10）に取り入れて処理した後に排出する方向へファン（30）が回転し、同時に冷却加熱モジュール（20）のエレクトロカロリック冷却材料（21）に電界が印加される。したがって、冷却加熱モジュール（20）の熱を室外空気（OA）が奪い、排出空気（EA）として室外へ放出される。
【００７７】
このように、実施形態１の変形例１によれば、いずれか一方の室内ユニット（U1，U2）で空気を冷却して、その空気を室内（3）へ供給するときに、他方の室内ユニット（U2，U1）では室外へ熱を排出する図４（Ａ）の運転と図４（Ｂ）の運転を交互に切り換えることにより、冷房運転を連続して行うことができる。
【００７８】
（変形例２）
図５に示す変形例２は、２つの室内ユニット（U1，U2）を空調対象の室内（3）に設置するように構成している点は図４の装置（1）と共通している。図４の変形例１と異なる点は、第１室内ユニット（U1）と第２室内ユニット（U2）の両方を、図の右側の壁面に設置した点である。各室内ユニット（U1，U2）の構成は、図１及び図４の空気調和装置（1）と同じである。
【００７９】
図５（Ａ）は、第１室内ユニット（U1）で冷却動作を行い、第２室内ユニット（U2）で加熱動作を行う状態を示している。第１室内ユニット（U1）では、冷却加熱モジュール（20）のエレクトロカロリック冷却材料（21）への電界の印加が解除される。したがって、第１室内ユニット（U1）の冷却加熱モジュール（20）が吸熱し、ケーシング（10）内に取り込まれた室内空気（RA）が冷却される。そして、冷却された空気が供給空気（SA）として室内（3）へ供給される。
【００８０】
一方、第２室内ユニット（U2）では、室外空気（OA）をケーシング（10）に取り入れて処理した後に排出する方向へファン（30）が回転し、同時に冷却加熱モジュール（20）のエレクトロカロリック冷却材料（21）に電界が印加される。したがって、冷却加熱モジュール（20）の熱を室外空気（OA）が奪い、排出空気（EA）として室外へ放出される。
【００８１】
図５（Ｂ）は、第２室内ユニット（U2）で冷却動作を行い、第１室内ユニット（U1）で加熱動作を行う状態を示している。第２室内ユニット（U2）では、冷却加熱モジュール（20）のエレクトロカロリック冷却材料（21）への電界の印加が解除される。したがって、第２室内ユニット（U2）の冷却加熱モジュール（20）が吸熱し、ケーシング（10）内に取り込まれた室内空気（RA）が冷却される。そして、冷却された空気が供給空気（SA）として室内（3）へ供給される。
【００８２】
一方、第１室内ユニット（U1）では、室外空気（OA）をケーシング（10）に取り入れて処理した後に排出する方向へファン（30）が回転し、同時に冷却加熱モジュール（20）のエレクトロカロリック冷却材料（21）に電界が印加される。したがって、冷却加熱モジュール（20）の熱を室外空気（OA）が奪い、排出空気（EA）として室外へ放出される。
【００８３】
このように、実施形態１の変形例２によれば、いずれか一方の室内ユニット（U1，U2）で空気を冷却して、その空気を室内（3）へ供給するときに、他方の室内ユニット（U2，U1）では室外へ熱を排出する図５（Ａ）の運転と図５（Ｂ）の運転を交互に切り換えることにより、冷房運転を連続して行うことができる。
【００８４】
（変形例３）
図６に示す変形例３は、空気調和装置（1）のケーシング（10）内に２つの冷却加熱モジュール（20）を設け、一方の冷却加熱モジュール（20）（第１冷却加熱モジュール（20a））を通過した空気を室内（3）に供給して他方の冷却加熱モジュール（20）（第２冷却加熱モジュール（20b））を通過した空気を室外へ放出する第１の運転動作と、第２冷却加熱モジュール（20b）を通過した空気を室内（3）に供給して第１冷却加熱モジュール（20a）を通過した空気を室外へ放出する第２の運転動作とを切り換えるように構成したものである。
【００８５】
空気調和装置（1）は、具体的には図７，８に示すように構成されている。この空気調和装置（1）は、２つの冷却加熱モジュール（20a，20b）と２つのファン（30a，30b）を１つのケーシング（10）内に収納した一体型の構成で、天井裏に設置されている。図７は、第１冷却加熱モジュール（20a）を冷却側にして第２冷却加熱モジュール（20b）を加熱側にする第１の運転動作を示し、図８は、第２冷却加熱モジュール（20b）を冷却側にして第１冷却加熱モジュール（20a）を加熱側にする第２の運転動作を示している。また、図７及び図８において、それぞれ、（Ａ）図は平面構造図（装置を平面から見て内部構造を示す図）、（Ｂ）図は左側面構造図、（Ｃ）図は右側面構造図である。
【００８６】
この空気調和装置（1）のケーシング（10）は、四角い箱形に形成されている。このケーシング（10）の１つの側壁面には、室内空気（RA）をケーシング（10）内に取り入れる第１吸込口（11）と、室外空気（OA）をケーシング（10）内に取り入れる第２吸込口（12）が設けられている。また、上記各吸込口（11，12）が設けられている側壁面の左右の側壁面には、供給空気（SA）を室内（3）に供給する第１吹出口（13）と、排出空気（EA）を室外に排出する第２吹出口（14）が設けられている。これらの第１吸込口（11）、第２吸込口（12）、第１吹出口（13）及び第２吹出口（14）には、それぞれ図６に模式的に矢印で示すダクト（4a，4b，4c，4d）が接続されている。
【００８７】
上記ケーシング（10）内は、上記冷却加熱モジュール（20）が配置された冷却加熱室（C1，C2）と、ファン（30a，30b）が配置されたファン室（C3，C4）が設けられている。冷却加熱室（C1，C2）は、図７，図８においてケーシング（10）内の左右に隣り合って位置する第１冷却加熱室（C1）と第２冷却加熱室（C2）とから構成されている。上記ファン室（C3，C4）は、同じくケーシング（10）の左右に隣り合って位置する第１ファン室（C3）と第２ファン室（C4）とから構成されている。第１ファン室（C3）には給気ファン（30a）が配置され、第２ファン室（C4）には排気ファン（30b）が配置されている。
【００８８】
また、上記各吸込口（11，12）と冷却加熱室（C1，C2）の間には入口側通風室（C5，C6）が形成されている。入口側通風室（C5，C6）は、上記ケーシング（10）の上下２段に配置された第１入口側通風室（C5）と第２入口側通風室（C6）とから構成されている。第１入口側通風室（C5）には第１吸込口（11）が設けられ、第２入口側通風室（C6）には第２吸込口（12）が設けられている。各入口側通風室（C5，C6）と各冷却加熱室（C1，C2）との間には、開閉可能なダンパ（D1，D2，D3，D4）が１枚ずつ、合計４枚設けられている。
【００８９】
上記冷却加熱室（C1，C2）と上記ファン室（C3，C4）との間には出口側通風室（C7，C8）が形成されている。出口側通風室（C7，C8）は、上記ケーシング（10）の上下２段に配置された第１出口側通風室（C7）と第２出口側通風室（C8）とから構成されている。各冷却加熱室（C1，C2）と各出口側通風室（C7，C8）との間には、開閉可能なダンパ（D5，D6，D7，D8）が１枚ずつ、合計４枚設けられている。
【００９０】
各出口側通風室（C7，C8）は、上記各ファン室（C3，C4）と連通している。上記第１吹出口（13）はケーシング（10）の第１ファン室（C3）側に設けられ、上記第２吹出口（14）はケーシング（10）の第２ファン室（C4）側に設けられている。
【００９１】
以上の構成においては、第１の運転動作のとき、第１ダンパ（D1）、第４ダンパ（D4）、第５ダンパ（D5）及び第８ダンパ（D8）が開かれ、第２ダンパ（D2）、第３ダンパ（D3）、第６ダンパ（D6）及び第７ダンパ（D7）は閉じられる。また、第２の運転動作のとき、第２ダンパ（D2）、第３ダンパ（D3）、第６ダンパ（D6）及び第７ダンパ（D7）が開かれ、第１ダンパ（D1）、第４ダンパ（D4）、第５ダンパ（D5）及び第８ダンパ（D8）は閉じられる。
【００９２】
このようにダンパ（D1〜D8）の開閉状態を制御することにより、第１の運転動作においては、図７に示すように、第１吸込口（11）からケーシング（10）内に導入された室内空気（RA）が、第１ダンパ（D1）、第１冷却加熱モジュール（20a）及び第５ダンパ（D5）を通って第１吹出口（13）から室内（3）へ供給されるとともに、第２吸込口（12）からケーシング（10）内に導入された室内空気が、第４ダンパ（D4）、第２冷却加熱モジュール（20b）及び第８ダンパ（D8）を通って第２吹出口（14）から室外へ排出される。また、第２の運転動作においては、図８に示すように、第１吸込口（11）からケーシング（10）内に導入された室内空気（RA）が、第３ダンパ（D3）、第２冷却加熱モジュール（20b）及び第７ダンパ（D7）を通って第１吹出口（13）から室内（3）へ供給されるとともに、第２吹出口（14）からケーシング（10）内に導入された室外空気（OA）が、第２ダンパ（D2）、第１冷却加熱モジュール（20a）及び第６ダンパ（D6）を通って第２吹出口（14）から室外へ排出される。
【００９３】
そして、この実施形態１の変形例３では、ダンパの開閉状態を切り換えることにより、図７の第１運転動作と図８の第２運転動作が交互に繰り返される。
【００９４】
この空気調和装置（1）は冷房専用機として構成されているので、室内（3）へ供給される空気が通過する冷却加熱モジュール（20）は、第１冷却加熱モジュール（20a）と第２冷却加熱モジュール（20b）のどちらに切り換わっても、冷却動作が行われる方の冷却加熱モジュール（20）である。したがって、室内（3）へは、冷却された空気が連続して供給される。また、室外へ排出される空気が通過する冷却加熱モジュール（20）は、第２冷却加熱モジュール（20b）と第１冷却加熱モジュール（20a）のどちらに切り換わっても加熱動作が行われる方の冷却加熱モジュール（20）である。したがって、室外へ放出される空気は冷却加熱モジュール（20）の熱を奪った空気である。
【００９５】
このように、実施形態１の変形例３によれば、いずれか一方の冷却加熱モジュール（20a，20b）で空気を冷却して、その空気を室内（3）へ供給するときに、他方の冷却加熱モジュール（20b，20a）から排出空気（EA）が熱を奪う図７の運転と図８の運転を交互に切り換えることにより、冷房運転を連続して行うことができる。
【００９６】
（変形例４）
図９に示す変形例４は、ロータ式の冷却加熱モジュール（20）を用いた空気調和装置（1）に関する例である。この空気調和装置（1）も、図１〜図８の例と同様に冷房専用機として構成されている。
【００９７】
この空気調和装置（1）のケーシング（10）には、給気側通路（P1）と排気側通路（P2）が設けられている。給気側通路（P1）には給気ファン（30a）が設けられ、排気側通路（P2）には排気ファン（30b）が設けられている。上記冷却加熱モジュール（20）は円板状に形成され、上記ケーシング（10）内で給気側通路（P1）と排気側通路（P2）に跨って配置されている。この冷却加熱モジュール（20）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【００９８】
この変形例４の空気調和装置（1）では、給気側通路（P1）で冷却動作が行われ、排気側通路（P2）で加熱動作が行われる。具体的には、冷却加熱モジュール（20）が給気側通路（P1）に位置する部分には電界が印加されずにエレクトロカロリック冷却材料（21）が吸熱し、空気が冷却される。また、冷却加熱モジュール（20）が排気側通路（P2）に位置する部分には電界が印加されてエレクトロカロリック冷却材料（21）が空気に放熱する。
【００９９】
この実施形態では、冷却動作と加熱動作は冷却加熱モジュール（20）を連続的または間欠的に回転させながら行われる。したがって、排気側通路（P2）で冷却加熱モジュール（20）から空気に放熱しながら、同時に給気側通路（P1）では冷却加熱モジュール（20）で空気を冷却することができるから、その冷却された空気を連続して室内（3）へ供給する連続冷房運転が可能である。
【０１００】
《発明の実施形態２》
本発明の実施形態２について説明する。
【０１０１】
図１０に示す実施形態２は、図１に示す実施形態１の空気調和装置（1）を暖房専用機として構成した例である。
【０１０２】
この空気調和装置（1）は、図１の空気調和装置（1）と同様に、ケーシング（10）と、ケーシング（10）内に収納された冷却加熱モジュール（20）と、冷却加熱モジュール（20）に空気を流すファン（30）と、冷却加熱モジュール（20）に電界を印加する電圧制御器（35）とを備え、ケーシング（10）とその内部に設けられた機能部品により室内ユニット（U）が構成されている。また、ケーシング（10）内には、該ケーシング（10）内に導入された空気を冷却加熱モジュール（20）に通すための空気通路（P）が形成されている。
【０１０３】
この実施形態２の空気調和装置（1）は、上記冷却加熱モジュール（20）で加熱処理した空気を空気通路（P）から室内（3）に導入することにより、暖房運転を行うことができるようになっている点が図１の空気調和装置（1）と異なっている。
【０１０４】
この空気調和装置（1）では、図１０（Ａ）において、それまで冷却されていた冷却加熱モジュール（20）のエレクトロカロリック冷却材料（21）に電界が印加される。そうすると、電極（22）が加熱され、冷却加熱モジュール（20）が放熱する。したがって、冷却加熱モジュール（20）を通過して加熱された空気が供給空気（SA）として室内（3）に供給される。
【０１０５】
一方、図１０（Ｂ）においては、室外空気（OA）をケーシング（10）に取り入れて処理した後に排出する方向へファン（30）が回転し、同時に冷却加熱モジュール（20）のエレクトロカロリック冷却材料（21）への電界の印加が解除される。したがって、冷却加熱モジュール（20）に室外空気（OA）が熱を与え、排出空気（EA）として室外へ放出される。
【０１０６】
このように、本実施形態２によれば、図１０（Ａ）の加熱動作と図１０（Ｂ）の冷却動作を交互に繰り返すことにより、間欠暖房運転を行うことができる。
【０１０７】
−実施形態２の変形例−
（変形例１）
図１１に示す実施形態２の変形例１は、図４の空気調和装置（1）を暖房専用機として構成した例である。部屋の対向する壁面の一方（図の右側の壁面）に第１室内ユニット（U1）が設置され、壁面の他方（図の左側の壁面）に第２室内ユニット（U2）が設置されている構成は、図４の空気調和装置（1）と同じである。また、各室内ユニット（U1，U2）の構成は図１０の実施形態２と同じである。
【０１０８】
図１１（Ａ）は、第１室内ユニット（U1）で加熱動作を行い、第２室内ユニット（U2）で冷却動作を行う状態を示している。第１室内ユニット（U1）では、冷却加熱モジュール（20）のエレクトロカロリック冷却材料（21）に電界が印加される。したがって、第１室内ユニット（U1）の冷却加熱モジュール（20）が放熱し、ケーシング（10）に取り込まれた室内空気（RA）が加熱される。そして、加熱された空気が供給空気（SA）として室内（3）へ供給される。
【０１０９】
一方、第２室内ユニット（U2）では、室外空気（OA）をケーシング（10）に取り入れて処理した後に排出する方向へファン（30）が回転し、同時に冷却加熱モジュール（20）のエレクトロカロリック冷却材料（21）への電界印加が解除される。したがって、室外空気（OA）が冷却加熱モジュール（21）に熱を奪われ、排出空気（EA）として室外に放出される。
【０１１０】
図１１（Ｂ）は、第２室内ユニット（U2）で加熱動作を行い、第１室内ユニット（U1）で冷却動作を行う状態を示している。第２室内ユニット（U2）では、冷却加熱モジュール（20）のエレクトロカロリック冷却材料（21）に電界が印加される。したがって、第２室内ユニット（U2）の冷却加熱モジュール（20）が放熱し、ケーシング（10）に取り込まれた室内空気（RA）が加熱される。そして、加熱された空気が供給空気（SA）として室内（3）へ供給される。
【０１１１】
一方、第１室内ユニット（U1）では、室外空気（OA）をケーシング（10）に取り入れて処理した後に排出する方向へファン（30）が回転し、同時に冷却加熱モジュール（20）のエレクトロカロリック冷却材料（21）への電界印加が解除される。したがって、室外空気（OA）が冷却加熱モジュール（21）に熱を奪われ、排出空気（EA）として室外に放出される。
【０１１２】
このように、この実施形態２の変形例１によれば、いずれか一方の室内ユニット（U1，U2）で空気を加熱して、その空気を室内（3）へ供給するときに、他方の室内ユニット（U2，U1）では冷却動作を行う図１１（Ａ）の運転と図１１（Ｂ）の運転を交互に切り換えることにより、暖房運転を連続して行うことができる。
【０１１３】
（変形例２）
図１２に示す実施形態２の変形例２は、２つの室内ユニット（U1，U2）を空調対象の室内（3）に設置するように構成したものであり、図５に示す実施形態１の変形例２の空気調和装置（1）を暖房専用機として構成した例である。この変形例では、第１室内ユニット（U1）と第２室内ユニット（U2）の両方が、図の右側の壁面に設置されている。
【０１１４】
図１２（Ａ）は、第１室内ユニット（U1）で加熱動作を行い、第２室内ユニット（U2）で冷却動作を行う状態を示している。第１室内ユニット（U1）では、冷却加熱モジュール（20）のエレクトロカロリック冷却材料（21）に電界が印加される。したがって、第１室内ユニット（U1）の冷却加熱モジュール（20）が放熱し、ケーシング（10）に取り込まれた室内空気（RA）が加熱される。そして、加熱された空気が供給空気（SA）として室内（3）へ供給される。
【０１１５】
一方、第２室内ユニット（U2）では、室外空気（OA）をケーシング（10）に取り入れて処理した後に排出する方向へファン（30）が回転し、同時に冷却加熱モジュール（20）のエレクトロカロリック冷却材料（21）への電界印加が解除される。したがって、室外空気（OA）が冷却加熱モジュール（21）に熱を奪われ、排出空気（EA）として室外に放出される。
【０１１６】
図１２（Ｂ）は、第２室内ユニット（U2）で加熱動作を行い、第１室内ユニット（U1）で冷却動作を行う状態を示している。第２室内ユニット（U2）では、冷却加熱モジュール（20）のエレクトロカロリック冷却材料（21）に電界が印加される。したがって、第２室内ユニット（U2）の冷却加熱モジュール（20）が放熱し、ケーシング（10）に取り込まれた室内空気（RA）が加熱される。そして、加熱された空気が供給空気（SA）として室内（3）へ供給される。
【０１１７】
一方、第１室内ユニット（U1）では、室外空気（OA）をケーシング（10）に取り入れて処理した後に排出する方向へファン（30）が回転し、同時に冷却加熱モジュール（20）のエレクトロカロリック冷却材料（21）への電界印加が解除される。したがって、室外空気（OA）が冷却加熱モジュール（21）に熱を奪われ、排出空気（EA）として室外に放出される。
【０１１８】
このように、この実施形態２の変形例２によれば、いずれか一方の室内ユニット（U1，U2）で空気を加熱して、その空気を室内（3）へ供給するときに、他方の室内ユニット（U2，U1）では冷却動作を行う図１２（Ａ）の運転と図１２（Ｂ）の運転を交互に切り換えることにより、暖房運転を連続して行うことができる。
【０１１９】
（変形例３）
図１３に示す実施形態２の変形例３は、図６〜図８に示す実施形態１の変形例３の空気調和装置（1）を暖房専用機として構成した例である。この空気調和装置（1）は、具体的には、図６〜図８と同様に、ケーシング（10）内に２つの冷却加熱モジュール（20a，20b）を設け、一方の冷却加熱モジュール（20）（第１冷却加熱モジュール（20a））を通過した空気を室内（3）に供給して他方の冷却加熱モジュール（20）（第２冷却加熱モジュール（20b））を通過した空気を室外へ放出する第１の運転動作と、第２冷却加熱モジュール（20b）を通過した空気を室内（3）に供給して第１冷却加熱モジュール（20a）を通過した空気を室外へ放出する第２の運転動作とを切り換えるように構成されている。
【０１２０】
空気調和装置（1）は、具体的には図１４，１５に示すように構成されている。この空気調和装置（1）は、２つの冷却加熱モジュール（20a，20b）と２つのファン（30a，30b）を１つのケーシング（10）内に収納した一体型の構成で、天井裏に設置されている。図１４は、第１冷却加熱モジュール（20a）を加熱側にして第２冷却加熱モジュール（20b）を冷却側にする第１の運転動作を示し、図１５は、第２冷却加熱モジュール（20b）を加熱側にして第１冷却加熱モジュール（20a）を冷却側にする第２の運転動作を示している。また、図１４及び図１５において、それぞれ、（Ａ）図は平面構造図（装置を平面から見て内部構造を示す図）、（Ｂ）図は左側面構造図、（Ｃ）図は右側面構造図である。
【０１２１】
この空気調和装置（1）のケーシング（10）は、四角い箱形に形成されている。このケーシング（10）の１つの側壁面には、室内空気（RA）をケーシング（10）内に取り入れる第１吸込口（11）と、室外空気（OA）をケーシング（10）内に取り入れる第２吸込口（12）が設けられている。また、上記各吸込口（11，12）が設けられている側壁面の左右の側壁面には、供給空気（SA）を室内（3）に供給する第１吹出口（13）と、排出空気（EA）を室外に排出する第２吹出口（14）が設けられている。これらの第１吸込口（11）、第２吸込口（12）、第１吹出口（13）及び第２吹出口（14）には、それぞれ図１３に模式的に矢印で示すダクト（4a，4b，4c，4d）が接続されている。
【０１２２】
上記ケーシング（10）内は、上記冷却加熱モジュール（20）が配置された冷却加熱室（C1，C2）と、ファン（30a，30b）が配置されたファン室（C3，C4）が設けられている。冷却加熱室（C1，C2）は、図１４，図１５においてケーシング（10）内の左右に隣り合って位置する第１冷却加熱室（C1）と第２冷却加熱室（C2）とから構成されている。上記ファン室（C3，C4）は、同じくケーシング（10）の左右に隣り合って位置する第１ファン室（C3）と第２ファン室（C4）とから構成されている。第１ファン室（C3）には給気ファン（30a）が配置され、第２ファン室（C4）には排気ファン（30b）が配置されている。
【０１２３】
また、上記各吸込口（11，12）と冷却加熱室（C1，C2）の間には入口側通風室（C5，C6）が形成されている。入口側通風室（C5，C6）は、上記ケーシング（10）の上下２段に配置された第１入口側通風室（C5）と第２入口側通風室（C6）とから構成されている。第１入口側通風室（C5）には第１吸込口（11）が設けられ、第２入口側通風室（C6）には第２吸込口（12）が設けられている。各入口側通風室（C5，C6）と各冷却加熱室（C1，C2）との間には、開閉可能なダンパ（D1，D2，D3，D4）が１枚ずつ、合計４枚設けられている。
【０１２４】
上記冷却加熱室（C1，C2）と上記ファン室（C3，C4）との間には出口側通風室（C7，C8）が形成されている。出口側通風室（C7，C8）は、上記ケーシング（10）の上下２段に配置された第１出口側通風室（C7）と第２出口側通風室（C8）とから構成されている。各冷却加熱室（C1，C2）と各出口側通風室（C7，C8）との間には、開閉可能なダンパ（D5，D6，D7，D8）が１枚ずつ、合計４枚設けられている。
【０１２５】
各出口側通風室（C7，C8）は、上記各ファン室（C3，C4）と連通している。上記第１吹出口（13）はケーシング（10）の第１ファン室（C3）側に設けられ、上記第２吹出口（14）はケーシング（10）の第２ファン室（C4）側に設けられている。
【０１２６】
以上の構成においては、第１の運転動作のとき、第１ダンパ（D1）、第４ダンパ（D4）、第５ダンパ（D5）及び第８ダンパ（D8）が開かれ、第２ダンパ（D2）、第３ダンパ（D3）、第６ダンパ（D6）及び第７ダンパ（D7）は閉じられる。また、第２の運転動作のとき、第２ダンパ（D2）、第３ダンパ（D3）、第６ダンパ（D6）及び第７ダンパ（D7）が開かれ、第１ダンパ（D1）、第４ダンパ（D4）、第５ダンパ（D5）及び第８ダンパ（D8）は閉じられる。
【０１２７】
このようにダンパ（D1〜D8）の開閉状態を制御することにより、第１の運転動作においては、図１４に示すように、第１吸込口（11）からケーシング（10）内に導入された室内空気（RA）が、第１ダンパ（D1）、第１冷却加熱モジュール（20a）及び第５ダンパ（D5）を通って第１吹出口（13）から室内（3）へ供給されるとともに、第２吸込口（12）からケーシング（10）内に導入された室外空気（OA）が、第４ダンパ（D4）、第２冷却加熱モジュール（20b）及び第８ダンパ（D8）を通って第２吹出口（14）から室外へ排出される。また、第２の運転動作においては、図１５に示すように、第１吸込口（11）からケーシング（10）内に導入された室内空気（RA）が、第３ダンパ（D3）、第２冷却加熱モジュール（20b）及び第７ダンパ（D7）を通って第１吹出口（13）から室内（3）へ供給されるとともに、第２吹出口（14）からケーシング（10）内に導入された室外空気（OA）が、第２ダンパ（D2）、第１冷却加熱モジュール（20a）及び第６ダンパ（D6）を通って第２吹出口（14）から室外へ排出される。
【０１２８】
そして、この実施形態２の変形例３では、ダンパの開閉状態を切り換えることにより、図１４の第１運転動作と図１５の第２運転動作が交互に繰り返される。
【０１２９】
この空気調和装置（1）は暖房専用機として構成されているので、室内（3）へ供給される空気が通過する冷却加熱モジュール（20）は、第１冷却加熱モジュール（20a）と第２冷却加熱モジュール（20b）のどちらに切り換わっても、加熱動作が行われる方の冷却加熱モジュール（20）である。したがって、室内（3）へは、加熱された空気が連続して供給される。また、室外へ排出される空気が通過する冷却加熱モジュール（20）は、第２冷却加熱モジュール（20b）と第１冷却加熱モジュール（20a）のどちらに切り換わっても冷却動作が行われる方の冷却加熱モジュール（20）である。したがって、室外へ放出される空気は、冷却加熱モジュール（20）に熱を奪われた空気である。
【０１３０】
このように、実施形態２の変形例３によれば、いずれか一方の冷却加熱モジュール（20a，20b）で空気を加熱して、その空気を室内（3）へ供給するときに、他方の冷却加熱モジュール（20b，20a）に熱を与える図１４の運転と図１５の運転を交互に切り換えることにより、暖房運転を連続して行うことができる。
【０１３１】
（変形例４）
図１６に示す実施形態２の変形例４は、ロータ式の冷却加熱モジュール（20）を用いた空気調和装置（1）に関するものである。この空気調和装置（1）も、実施形態２及びその変形例１〜３と同様に暖房専用機として構成されている。
【０１３２】
この空気調和装置（1）のケーシング（10）には、給気側通路（P1）と排気側通路（P2）が設けられている。給気側通路（P1）には給気ファン（30a）が設けられ、排気側通路（P2）には排気ファン（30b）が設けられている。上記冷却加熱モジュール（20）は円板状に形成され、上記ケーシング（10）内で給気側通路（P1）と排気側通路（P2）に跨って配置されている。この冷却加熱モジュール（20）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１３３】
この変形例４の空気調和装置（1）では、給気側通路（P1）で加熱動作が行われ、排気側通路（P2）で冷却動作が行われる。具体的には、冷却加熱モジュール（20）が給気側通路（P1）に位置する部分には電界が印加されてエレクトロカロリック冷却材料（21）が放熱し、空気が加熱される。また、冷却加熱モジュール（20）が排気側通路（P2）に位置する部分には電界が印加されずにエレクトロカロリック冷却材料（21）が吸熱し、空気の熱が奪われる。
【０１３４】
この実施形態では、加熱動作と冷却動作は冷却加熱モジュール（20）を連続的または間欠的に回転させながら行われる。したがって、排気側通路（P2）で空気から冷却加熱モジュール（20）に熱を与えながら、同時に給気側通路（P1）では冷却加熱モジュール（20）で空気を加熱することができるから、その加熱された空気を連続して室内（3）へ供給する連続暖房運転が可能である。
【０１３５】
《発明の実施形態３》
本発明の実施形態３について説明する。
【０１３６】
図１７に示す実施形態３は、図５に示す実施形態１の変形例２に係る空気調和装置（1）が冷房専用機であるのに対して、空気の除湿もできるように構成した例である。この空気調和装置（1）も図５の例と同様に２つの室内ユニット（U1，U2）を備え、第１室内ユニット（U1）と第２室内ユニット（U2）の両方が図の一つの壁面（右側の壁面）に設置されている。
【０１３７】
この空気調和装置（1）では、第１室内ユニット（U1）と第２室内ユニット（U2）に、上記冷却加熱モジュール（20）に加えて、空気に対する水分の放湿と吸湿を行うように構成した上記調湿モジュール（24）が設けられている。上述したように、この調湿モジュール（24）は、図２（Ｂ）において、エレクトロカロリック冷却材料（21）と、このエレクトロカロリック冷却材料（21）に電源（25）から電界を印加するように該エレクトロカロリック冷却材料（21）に設けられた一対の電極（22）と、その表面に形成された吸着層（23）とを有している。調湿モジュール（24）では、電界を印加すると空気を加湿することができ、電界の印加を解除すると空気を減湿することができる。
【０１３８】
この実施形態３では、第１室内ユニット（U1）と第２室内ユニット（U2）のいずれについても、空気は冷却加熱モジュール（20）と調湿モジュール（24）を通過する。したがって、この空気調和装置（1）では、空気の吸湿処理及び放湿処理を行うことに加えて、空気の冷却処理と加熱処理も行うことができる。
【０１３９】
図１７（Ａ）は、第１室内ユニット（U1）で冷却吸湿動作を行い、第２室内ユニット（U2）で加熱放湿動作を行う状態を示している。第１室内ユニット（U1）では、冷却加熱モジュール（20）と調湿モジュール（24）のエレクトロカロリック冷却材料（21）への電界の印加が解除される。したがって、ケーシング（10）内に取り込まれた室内空気（RA）が減湿されるとともに冷却される。そして、減湿されるとともに冷却された空気が供給空気（SA）として室内（3）へ供給される。
【０１４０】
一方、第２室内ユニット（U2）では、室外空気（OA）をケーシング（10）に取り入れて処理した後に排出する方向へファン（30）が回転し、同時に冷却加熱モジュール（20）と調湿モジュール（24）のエレクトロカロリック冷却材料（21）に電界が印加される。したがって、冷却加熱モジュール（20）と調湿モジュール（24）により加熱加湿処理された空気が排出空気（EA）として室外へ放出される。このとき、調湿モジュール（24）の吸着層は水分を放出して再生される。
【０１４１】
図１７（Ｂ）は、第２室内ユニット（U2）で冷却吸湿動作を行い、第１室内ユニット（U1）で加熱放湿動作を行う状態を示している。第２室内ユニット（U2）では、冷却加熱モジュール（20）と調湿モジュール（24）のエレクトロカロリック冷却材料（21）への電界の印加が解除される。したがって、ケーシング（10）内に取り込まれた室内空気（RA）が減湿されるとともに冷却される。そして、減湿されるとともに冷却された空気が供給空気（SA）として室内（3）へ供給される。
【０１４２】
一方、第１室内ユニット（U1）では、室外空気（OA）をケーシング（10）に取り入れて処理した後に排出する方向へファン（30）が回転し、同時に冷却加熱モジュール（20）と調湿モジュール（24）のエレクトロカロリック冷却材料（21）に電界が印加される。したがって、冷却加熱モジュール（20）と調湿モジュール（24）により加熱加湿処理された空気が排出空気（EA）として室外へ放出される。このとき、調湿モジュール（24）の吸着層は水分を放出して再生される。
【０１４３】
このように、実施形態３によれば、いずれか一方の室内ユニット（U1，U2）で空気の冷却と減湿を行って、その空気を室内（3）へ供給するときに、他方の室内ユニット（U2，U1）では加熱処理と放湿処理を行う図１７（Ａ）の運転と図１７（Ｂ）の運転を交互に切り換えることにより、除湿冷房運転を連続して行うことができる。
【０１４４】
なお、この実施形態では、空気の流れに対して冷却加熱モジュール（20）と調湿モジュール（24）を直列に配置して、空気の顕熱処理と潜熱処理を直列で行って室内に供給するようにしているが、冷却加熱モジュール（20）と調湿モジュール（24）を並列に配置して、顕熱処理をした空気と潜熱処理をした空気を混合して室内に供給するようにしてもよい。このように構成してもよいことは、以下の変形例においても同様である。
【０１４５】
−実施形態３の変形例−
（変形例１）
図１８に示す実施形態３の変形例１は、ロータ式の冷却加熱モジュール（20）を用いた空気調和装置（1）に関するものである。この空気調和装置（1）は、ロータ式の冷却加熱モジュール（20）に加えて、ロータ式の調湿モジュール（24）も備え、除湿冷房を行えるように構成されている。
【０１４６】
この空気調和装置（1）のケーシング（10）には、給気側通路（P1）と排気側通路（P2）が設けられている。給気側通路（P1）には給気ファン（30a）が設けられ、排気側通路（P2）には排気ファン（30b）が設けられている。上記冷却加熱モジュール（20）は円板状に形成され、上記ケーシング（10）内で給気側通路（P1）と排気側通路（P2）に跨って配置されている。この冷却加熱モジュール（20）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１４７】
また、調湿モジュール（24）も円板状に形成され、上記ケーシング（10）内で給気側通路（P1）と排気側通路（P2）に跨って配置されている。この調湿モジュール（24）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１４８】
この実施形態３の変形例１の空気調和装置（1）では、給気側通路（P1）で冷却吸湿動作が行われ、排気側通路（P2）で加熱放湿動作が行われる。具体的には、冷却加熱モジュール（20）が給気側通路（P1）に位置する部分には電界が印加されずにエレクトロカロリック冷却材料（21）が吸熱し、空気が冷却される。また、調湿モジュール（24）が給気側通路（P1）に位置する部分にも電界が印加されずにエレクトロカロリック冷却材料（21）が吸熱して吸着剤が冷却され、空気中の水分が吸着剤に吸着される。そして、冷却されて減湿された空気が供給空気（SA）として室内（3）に供給される。
【０１４９】
一方、冷却加熱モジュール（20）が排気側通路（P2）に位置する部分には電界が印加されてエレクトロカロリック冷却材料（21）が放熱し、空気が加熱される。また、調湿モジュール（24）が排気側通路（P2）に位置する部分にも電界が印加されてエレクトロカロリック冷却材料（21）が放熱して吸着剤が加熱され、吸着剤に含まれている水分が空気に放出されて吸着剤が再生される。そして、加熱されるとともに水分が与えられた空気が排出空気（EA）として室外へ放出される。
【０１５０】
この変形例では、冷却吸湿動作と加熱放湿動作は冷却加熱モジュール（20）と調湿モジュール（24）を連続的または間欠的に回転させながら行われる。したがって、冷却加熱モジュール（20）の放熱処理と調湿モジュール（24）の放湿処理を排気側通路（P2）で行いながら、同時に給気側通路（P1）で吸湿冷却処理することができるから、減湿かつ冷却された空気を連続して室内（3）へ供給することができる。
【０１５１】
（変形例２）
図１９に示す実施形態３の変形例２は、図１７に示した実施形態３に係る空気調和装置（1）が除湿冷房機であるのに対して、加湿暖房機として構成した例である。この変形例においても、第１室内ユニット（U1）と第２室内ユニット（U2）の両方が、図の右側の壁面に設置されている。
【０１５２】
この空気調和装置（1）においても、第１室内ユニット（U1）と第２室内ユニット（U2）に、上記冷却加熱モジュール（20）に加えて、空気の冷却と加熱を行うように構成した上記調湿モジュール（24）が設けられている。
【０１５３】
第１室内ユニット（U1）と第２室内ユニット（U2）は、図１７の実施形態３と同様に構成されている。
【０１５４】
図１９（Ａ）は、第１室内ユニット（U1）で加熱放湿動作を行い、第２室内ユニット（U2）で冷却吸湿動作を行う状態を示している。第１室内ユニット（U1）では、冷却加熱モジュール（20）と調湿モジュール（24）のエレクトロカロリック冷却材料（21）に電界が印加される。したがって、ケーシング（10）内に取り込まれた室内空気（RA）が加熱されるとともに加湿され、その空気が供給空気（SA）として室内（3）へ供給される。
【０１５５】
一方、第２室内ユニット（U2）では、室外空気（OA）をケーシング（10）に取り入れて処理した後に排出する方向へファン（30）が回転し、同時に冷却加熱モジュール（20）と調湿モジュール（24）のエレクトロカロリック冷却材料（21）への電界印加が解除される。冷却加熱モジュール（20）での冷却処理と調湿モジュール（24）での吸湿処理の行われた空気が排出空気（EA）として室外に放出される。
【０１５６】
図１９（Ｂ）は、第２室内ユニット（U2）で加熱放湿動作を行い、第１室内ユニット（U1）で冷却吸湿動作を行う状態を示している。第２室内ユニット（U2）では、冷却加熱モジュール（20）と調湿モジュール（24）のエレクトロカロリック冷却材料（21）に電界が印加される。したがって、ケーシング（10）内に取り込まれた室内空気（RA）が加熱されるとともに加湿され、その空気が供給空気（SA）として室内（3）へ供給される。
【０１５７】
一方、第１室内ユニット（U1）では、室外空気（OA）をケーシング（10）に取り入れて処理した後に排出する方向へファン（30）が回転し、同時に冷却加熱モジュール（20）と調湿モジュール（24）のエレクトロカロリック冷却材料（21）への電界印加が解除される。冷却加熱モジュール（20）での冷却処理と調湿モジュール（24）での吸湿処理の行われた空気が排出空気（EA）として室外に放出される。
【０１５８】
この実施形態３の変形例２によれば、いずれか一方の室内ユニット（U1，U2）で空気の加湿と加熱を行って、その空気を室内（3）へ供給するときに、他方の室内ユニット（U2，U1）では空気の冷却と吸着層（23）での吸湿を行う図１９（Ａ）の運転と図１９（Ｂ）の運転を交互に切り換えることにより、加湿暖房運転を連続して行うことができる。
【０１５９】
（変形例３）
図２０に示す実施形態３の変形例３は、図１８に示す変形例１に係る空気調和装置（1）が除湿冷房機であるのに対して、加湿暖房機として構成した例である。この変形例においても、ロータ式の冷却加熱モジュール（20）に加えて、ロータ式の調湿モジュール（24）が用いられている。
【０１６０】
この空気調和装置（1）のケーシング（10）、冷却加熱モジュール（20）及び調湿モジュール（24）は図１８と同様に構成されている。
【０１６１】
具体的には、空気調和装置（1）のケーシング（10）に、給気側通路（P1）と排気側通路（P2）が設けられている。給気側通路（P1）には給気ファン（30a）が設けられ、排気側通路（P2）には排気ファン（30b）が設けられている。上記冷却加熱モジュール（20）は円板状に形成され、上記ケーシング（10）内で給気側通路（P1）と排気側通路（P2）に跨って配置されている。この冷却加熱モジュール（20）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。また、調湿モジュール（24）も円板状に形成され、上記ケーシング（10）内で給気側通路（P1）と排気側通路（P2）に跨って配置されている。この調湿モジュール（24）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１６２】
この変形例３の空気調和装置（1）では、給気側通路（P1）で加熱放湿動作が行われ、排気側通路（P2）で冷却吸湿動作が行われる。具体的には、冷却加熱モジュール（20）が給気側通路（P1）に位置する部分には、電界が印加されることによりエレクトロカロリック冷却材料（21）が発熱し、空気が加熱される。また、調湿モジュール（24）が給気側通路（P1）に位置する部分には、電界が印加されることによりエレクトロカロリック冷却材料（21）が発熱して吸着剤が加熱され、吸着剤に含まれている水分が空気に与えられる。
【０１６３】
一方、冷却加熱モジュール（20）が排気側通路（P2）に位置する部分には、電界の印加が解除されてエレクトロカロリック冷却材料（21）が空気から吸熱する。また、調湿モジュール（24）が排気側通路（P2）に位置する部分には、電界の印加が解除されてエレクトロカロリック冷却材料（21）が吸熱して吸着剤が冷却され、空気中の水分が吸着剤に吸着される。
【０１６４】
この実施形態３の変形例３では、加熱放湿動作と冷却吸湿動作は冷却加熱モジュール（20）を連続的または間欠的に回転させながら行われる。したがって、排気側通路（P2）で冷却処理と吸湿処理を行いながら、同時に給気側通路（P1）で加熱処理と放湿処理をすることができるから、加熱と加湿のされた空気を連続して室内（3）へ供給する運転を行うことができる。
【０１６５】
《発明の実施形態４》
本発明の実施形態４について説明する。
【０１６６】
この実施形態４の空気調和装置（1）は、図１及び図１０に示す空気調和装置（1）において、冷却加熱モジュール（20）で冷却処理した空気を室内（3）に導入する冷却動作と、冷却加熱モジュール（20）で加熱処理した空気を室内（3）に導入する加熱動作とを切り換え可能に構成したものである。
【０１６７】
例えば、図１の空気調和装置（1）において、ケーシング（10）に取り込まれた室内空気（RA）を処理するときに、図１（Ａ）に示すように冷却加熱モジュール（20）のエレクトロカロリック冷却材料（21）への電界印加を解除する運転と、図１０（Ａ）に示すように冷却加熱モジュール（20）のエレクトロカロリック冷却材料（21）に電界を印加する運転とを切り換え可能に電源回路が構成され、ケーシング（10）に取り込まれた室外空気（OA）を処理するときに、図１（Ｂ）に示すように冷却加熱モジュール（20）に電界を印加する運転と、図１０（Ｂ）に示すように冷却加熱モジュール（20）への電界印加を解除する運転とを切り換え可能に電源回路が構成される。
【０１６８】
このように構成すれば、１つの冷却加熱モジュール（20）を備えた室内ユニット（U）を有する空気調和装置（1）において、室内（3）を間欠的に冷房する運転と、室内（3）を間欠的に暖房する運転とを切り換えて行うことが可能になる。
【０１６９】
（変形例１）
実施形態４の変形例１は、図４及び図１１の空気調和装置（1）において、電界の印加状態を切り換えることにより、図４（Ａ）の運転と図１１（Ａ）の運転とを切り換え可能に構成するとともに、図４（Ｂ）の運転と図１１（Ｂ）の運転とを切り換え可能に構成したものである。装置の基本的な構成は図４及び図１１と同様であるため、具体的な説明は省略する。
【０１７０】
この空気調和装置（1）において、図４（Ａ），（Ｂ）の運転では、ケーシング（10）内に取り込まれた室内空気（RA）が通過する冷却加熱モジュール（20）への電界の印加が解除され、ケーシング（10）内に取り込まれた室外空気（OA）が通過する冷却加熱モジュール（20）へ電界が印加される。また、図１１（Ａ），（Ｂ）の運転では、ケーシング（10）内に取り込まれた室内空気（RA）が通過する冷却加熱モジュール（20）に電界が印加され、ケーシング（10）内に取り込まれた室外空気（OA）が通過する冷却加熱モジュール（20）への電界印加が解除される。
【０１７１】
このように構成すれば、２つの室内ユニット（U1，U2）を部屋の対向する壁面に設置した空気調和装置（1）において、室内（3）を連続的に冷房する運転と、室内（3）を連続的に暖房する運転とを切り換えて行うことが可能になる。
【０１７２】
（変形例２）
実施形態４の変形例２は、図５及び図１２の空気調和装置（1）において、電界の印加状態を切り換えることにより、図５（Ａ）の運転と図１２（Ａ）の運転とを切り換え可能に構成するとともに、図５（Ｂ）の運転と図１２（Ｂ）の運転とを切り換え可能に構成したものである。装置の基本的な構成は図５及び図１２と同様であるため、具体的な説明は省略する。
【０１７３】
この空気調和装置（1）において、図５（Ａ），（Ｂ）の運転では、ケーシング（10）内に取り込まれた室内空気（RA）が通過する冷却加熱モジュール（20）への電界の印加が解除され、ケーシング（10）内に取り込まれた室外空気（OA）が通過する冷却加熱モジュール（20）へ電界が印加される。また、図１２（Ａ），（Ｂ）の運転では、ケーシング（10）内に取り込まれた室内空気（RA）が通過する冷却加熱モジュール（20）に電界が印加され、ケーシング（10）内に取り込まれた室外空気（OA）が通過する冷却加熱モジュール（20）への電界印加が解除される。
【０１７４】
このように構成すれば、２つの室内ユニット（U1，U2）を部屋の一方の壁面に設置した空気調和装置（1）において、室内（3）を連続的に冷房する運転と、室内（3）を連続的に暖房する運転とを切り換えて行うことが可能になる。
【０１７５】
（変形例３）
実施形態４の変形例３は、図６〜図８及び図１３〜図１５の空気調和装置（1）において、電界の印加状態を切り換えることにより、図７の運転と図１４の運転とを切り換え可能に構成するとともに、図８の運転と図１５の運転とを切り換え可能に構成したものである。装置の基本的な構成は図６〜図８及び図１３〜図１５と同様であるため、具体的な説明は省略する。
【０１７６】
この空気調和装置（1）において、図７，８の運転では、ケーシング（10）内に取り込まれた室内空気（RA）が通過する冷却加熱モジュール（20）への電界の印加が解除され、ケーシング（10）内に取り込まれた室外空気（OA）が通過する冷却加熱モジュール（20）へ電界が印加される。また、図１４，１５の運転では、ケーシング（10）内に取り込まれた室内空気（RA）が通過する冷却加熱モジュール（20）に電界が印加され、ケーシング（10）内に取り込まれた室外空気（OA）が通過する冷却加熱モジュール（20）への電界印加が解除される。
【０１７７】
このように構成すれば、２つの冷却加熱モジュール（20）を備えたケーシング（10）内で空気の流通経路を切り換え可能なユニットを用いた空気調和装置（1）において、室内（3）を連続的に冷房する運転と、室内（3）を連続的に暖房する運転とを切り換えて行うことが可能になる。
【０１７８】
（変形例４）
実施形態４の変形例４は、図９の空気調和装置（1）と図１６の空気調和装置（1）を１つの装置として構成し、電界の印加状態を切り換えることにより、図９の運転と図１６の運転を切り換え可能に構成したものである。装置の基本的な構成は図９及び図１６と同様であるため、具体的な説明は省略する。
【０１７９】
この空気調和装置（1）において、図９の運転では、ケーシング（10）内に取り込まれた室内空気（RA）が通過する部分において冷却加熱モジュール（20）への電界の印加が解除され、ケーシング（10）内に取り込まれた室外空気（OA）が通過する部分において冷却加熱モジュール（20）へ電界が印加される。また、図１６の運転では、ケーシング（10）内に取り込まれた室内空気（RA）が通過する部分において冷却加熱モジュール（20）に電界が印加され、ケーシング（10）内に取り込まれた室外空気（OA）が通過する部分において冷却加熱モジュール（20）への電界印加が解除される。
【０１８０】
このように構成すれば、ロータ式の冷却加熱モジュール（20）を備えた空気調和装置（1）において、室内（3）を連続的に冷房する運転と、室内（3）を連続的に暖房する運転とを切り換えて行うことが可能になる。
【０１８１】
（変形例５）
実施形態４の変形例５は、図１７及び図１９の空気調和装置（1）において、電界の印加状態を切り換えることにより、図１７（Ａ）の運転と図１９（Ａ）の運転とを切り換え可能に構成するとともに、図１７（Ｂ）の運転と図１９（Ｂ）の運転とを切り換え可能に構成したものである。装置の基本的な構成は図１７及び図１９と同様であるため、具体的な説明は省略する。
【０１８２】
この空気調和装置（1）において、図１７（Ａ），（Ｂ）の運転では、ケーシング（10）内に取り込まれた室内空気（RA）が通過する冷却加熱モジュール（20）と調湿モジュール（24）への電界の印加が解除され、ケーシング（10）内に取り込まれた室外空気（OA）が通過する冷却加熱モジュール（20）と調湿モジュール（24）へ電界が印加される。また、図１９（Ａ），（Ｂ）の運転では、ケーシング（10）内に取り込まれた室内空気（RA）が通過する冷却加熱モジュール（20）と調湿モジュール（24）に電界が印加され、ケーシング（10）内に取り込まれた室外空気（OA）が通過する冷却加熱モジュール（20）と調湿モジュール（24）への電界印加が解除される。
【０１８３】
このように構成すれば、２つの室内ユニット（U1，U2）のそれぞれに冷却加熱モジュール（20）と調湿モジュール（24）を設けた空気調和装置（1）において、室内（3）を連続的に除湿冷房する運転と、室内（3）を連続的に加湿暖房する運転とを切り換えて行うことが可能になる。
【０１８４】
（変形例６）
実施形態４の変形例６は、図１８の空気調和装置（1）と図２０の空気調和装置（1）を１つの装置として構成し、電界の印加状態を切り換えることにより、図１８の運転と図２０の装置の運転を切り換え可能に構成したものである。装置の基本的な構成は図１８及び図２０と同様であるため、具体的な説明は省略する。
【０１８５】
この空気調和装置（1）において、図１８の運転では、ケーシング（10）内に取り込まれた室内空気（RA）が通過する部分において冷却加熱モジュール（20）と調湿モジュール（24）への電界の印加が解除され、ケーシング（10）内に取り込まれた室外空気（OA）が通過する部分において冷却加熱モジュール（20）と調湿モジュール（24）へ電界が印加される。また、図２０の運転では、ケーシング（10）内に取り込まれた室内空気（RA）が通過する部分において冷却加熱モジュール（20）と調湿モジュール（24）に電界が印加され、ケーシング（10）内に取り込まれた室外空気（OA）が通過する部分において冷却加熱モジュール（20）と調湿モジュール（24）への電界印加が解除される。
【０１８６】
このように構成すれば、ロータ式の冷却加熱モジュール（20）と調湿モジュール（24）を備えた空気調和装置（1）において、室内（3）を連続的に除湿冷房する運転と、室内（3）を連続的に加湿暖房する運転とを切り換えて行うことが可能になる。
【０１８７】
《発明の実施形態５》
本発明の実施形態５について説明する。
【０１８８】
図２１及び図２２に示す実施形態５は、冷却加熱モジュール（20）の具体的な構成に関するものである。この実施形態５の冷却加熱モジュール（20）と、下記の変形例１〜３（図２３〜図２５）の冷却加熱モジュール（20）は、チューブ状またはプレート状に形成された上記エレクトロカロリック冷却材料（21）の表面及び裏面に上記電極（22）が設けられたベースモジュールを備えたものである。
【０１８９】
まず、図２１において、冷却加熱モジュール（20）は、複数の冷却加熱チューブ（41）と２枚の電極板（42）を備えている。各冷却加熱チューブ（41）は互いに平行になるように、複数列、複数段に配置され、その両端に電極板（42）が接続されている。また、電極板（42）の一方には電源（25）のプラス極が接続され、電極板（42）の他方には電源（25）のマイナス極が接続されている。この冷却加熱モジュール（20）は、冷却加熱チューブ（41）の軸方向が空気の流れ方向と直角の方向になるように配置される。
【０１９０】
図２２（Ａ）は冷却加熱チューブ（41）の断面構造を示す部分拡大断面図である。冷却加熱チューブ（41）は、上記エレクトロカロリック冷却材料（21）により薄い円筒膜の形状に形成された電熱チューブ（43）と、電熱チューブ（43）の内周面に接触するように設けられた棒状電極（44）と、電熱チューブ（43）の外周面に接触するように設けられた筒状電極（45）とを備えている。棒状電極（44）と筒状電極（45）は図２，図３の電極（22）に対応している。上記電熱チューブ（43）と棒状電極（44）と筒状電極（45）により、冷却加熱モジュール（20）のベースモジュール（47）が構成されている。
【０１９１】
上記棒状電極（44）が電極板（42）の一方に電気的に接続され、上記筒状電極（45）が電極板（42）の他方に電気的に接続されている。この構成において、電熱チューブ（43）に電界を印加すると、電熱チューブ（43）が周囲の空気へ放熱し、電界の印加を解除すると電熱チューブ（43）が周囲の空気から吸熱する。
【０１９２】
この実施形態５の冷却加熱モジュール（20）は、電界を印加して電熱チューブ（43）が放熱することにより、空気が加熱される。また、冷却加熱モジュール（20）への電界の印加を解除すると、電熱チューブ（43）が周囲の給気から吸熱することにより空気が冷却される。
【０１９３】
この実施形態５の冷却加熱モジュール（20）は、簡単な構成で実用化できるとともにモジュール自体を小型化できるので、例えば図１に示した実施形態１の空気調和装置（1）に適用することにより、空気調和装置（1）の構成が複雑化するのを抑え、同時に装置（1）を小型化することもできる。また、この冷却加熱モジュール（20）は、図４〜図８、図１０〜図１５、図１７及び図１９の空気調和装置（1）にも容易に適用することができる。
【０１９４】
なお、冷却加熱チューブ（41）は、図２２（Ｂ）に示しているように構成してもよい。図２２（Ｂ）の冷却加熱チューブ（41）は、上記筒状電極の周囲に、円環状のフィン（48）を設けるようにした例である。
【０１９５】
このように構成すると、図２２（Ａ）の例と比較して、空気との接触面積を大きくすることができるから、空気の冷却加熱能力を高めることが可能になる。
【０１９６】
また、この冷却加熱モジュール（20）は、調湿モジュール（24）として構成することも容易である。具体的には、図２２（Ａ）において仮想線で示すように、筒状電極（45）の外周面に、吸着剤を膜状にした吸着面（46）を形成するとよい。
【０１９７】
このように構成すると、電界を印加して吸着面（46）が発熱すると、該吸着面（46）の吸着剤に含まれている水分が周囲の空気に放出され、空気が加湿される。また、調湿モジュール（24）への電界の印加を解除することにより吸着面（46）が冷却されると、周囲の空気から吸着面（46）の吸着剤に水分が吸着され、空気が減湿される。
【０１９８】
（変形例１）
図２３に示す実施形態５の変形例１に係る冷却加熱モジュール（20）は、図２１，図２２の例とは形状が異なるようにしたものである。
【０１９９】
この冷却加熱モジュール（20）は、エレクトロカロリック冷却材料（21）により薄い平板状に形成された電熱板（51）と、電熱板（51）の表面に接触するように設けられた第１の板状電極（52）と、電熱板（51）の裏面に接触するように設けられた第２の板状電極（53）とを備えている。上記電熱板（51）と両板状電極（52，53）とによりベースモジュール（54）が構成されている。
【０２００】
図２３における第１の板状電極（52）の上面と第２の板状電極（53）の下面には、それぞれ複数のプレートフィン（55）が固定されている。各プレートフィン（55）は、互いに平行に配列されている。この冷却加熱モジュール（20）は、プレートフィン（55）の面方向が空気の流れ方向と平行になるように空気調和装置（1）に設置される。
【０２０１】
第１の板状電極（52）には電源（25）のプラス極が接続され、第２の板状電極（53）には電源（25）のマイナス極が接続されている。この構成において、電熱板（51）に電界を印加すると電熱板（51）が発熱し、その熱がプレートフィン（55）に伝わって、周囲の空気へ放熱する。一方、電熱板（51）への電界印加を解除すると電熱板（51）が吸熱し、プレートフィン（55）も冷却される。したがって、周囲の空気が冷却される。
【０２０２】
この実施形態５の変形例１に係る冷却加熱モジュール（20）は、図２１及び図２２のものと同様に構成が複雑になるのを抑えながらモジュール自体を小型化できるので、例えば図１に示した実施形態１の空気調和装置（1）に適用することにより、空気調和装置（1）の構成を簡単にするとともに小型化することができる。
【０２０３】
（変形例２）
図２４に示す実施形態５の変形例２に係る冷却加熱モジュール（20）は、図２１〜図２３に示す例とは形状が異なるようにしたものである。
【０２０４】
この冷却加熱モジュール（20）は、可撓性電熱板（61）と、可撓性電熱板（61）の一方の面に接する状態で設けられた第１の可撓性電極板（62）と、可撓性電熱板（61）の他方の面に接する状態で設けられた第２の可撓性電極板（63）とを備えている。上記可撓性電熱板（61）と両可撓性電極板（62，63）とによりベースモジュール（64）が構成されている。
【０２０５】
このベースモジュール（64）は、可撓性電熱板（61）に可撓性電極板（62，63）を積層して形成した帯状部材を数回折り返すことによりブロック状に形成されている。また、可撓性電極板（62，63）同士が対向する部分は若干の間隔をあけて折り返され、その部分に形成された空間には電気絶縁材（66）が充填されている。
【０２０６】
この実施形態５の変形例２においては、冷却加熱モジュール（20）の周囲を空気が流れる状態で可撓性電熱板（61）に電界を印加すると、冷却加熱モジュール（20）の全体が加熱され、周囲を流れる空気が加熱される。また、冷却加熱モジュール（20）の周囲を空気が流れる状態で可撓性電熱板（61）への電界の印加を解除すると、冷却加熱モジュール（20）の全体が冷却され、周囲を流れる空気が冷却される。
【０２０７】
この実施形態５の変形例２に係る冷却加熱モジュール（20）は、図２１〜図２３のものと同様に構成が簡単であるとともにモジュール自体を小型化できるので、例えば図１に示した実施形態１の空気調和装置（1）に適用することにより、空気調和装置（1）の構成を簡単にするとともに小型化することができる。
【０２０８】
なお、図２４の構成においては、可撓性電極板（62，63）同士の間に電気絶縁材（66）を充填せずに、その部分に空間を形成するようにしてもよい。この場合、その空間に電気絶縁機能を持たせるため、可撓性電極板（62，63）同士の間に空間を保持する部材を所定ピッチで設けておくとよい。このように構成すると、熱交換面積を大きくできるので、空気の冷却加熱性能を高めることが可能になる。
【０２０９】
（変形例３）
図２５に示す実施形態５の変形例３に係る冷却加熱モジュール（20）は、図２１〜図２４のものとは形状が異なるようにした例である。
【０２１０】
この冷却加熱モジュール（20）は、複数の電熱板（71）と、各電熱板（71）の一方の面に接する状態で設けられた第１の電極板（72）と、電熱板（71）の他方の面に接する状態で設けられた第２の電極板（73）とを備えている。上記電熱板（71）と両電極板（72，73）とによりベースモジュール（74）が構成されている。
【０２１１】
このベースモジュール（74）は、複数の電熱板（71）が互いに平行に配列され、その両端面に冷却加熱プレート（75）が固定されている。
【０２１２】
この実施形態５の変形例３においては、冷却加熱モジュール（20）の周囲を空気が流れる状態で電熱板（71）に電荷を印加すると、冷却加熱モジュール（20）の全体が加熱されて上記冷却加熱プレート（75）も加熱され、周囲を流れる空気が加熱される。また、冷却加熱モジュール（20）の周囲を空気が流れる状態で電熱板（71）への電界の印加を解除すると、冷却加熱モジュール（20）の全体が冷却されて上記冷却加熱プレート（75）も冷却され、周囲を流れる空気が冷却される。
【０２１３】
この実施形態５の変形例３に係る冷却加熱モジュール（20）は、図２１〜図２４のものと同様に構成が簡単であるとともにモジュール自体を小型化できるので、例えば図１に示した実施形態の空気調和装置（1）に適用することにより、空気調和装置（1）の構成を簡単にするとともに小型化することができる。
【０２１４】
《発明の実施形態６》
本発明の実施形態６は、冷却加熱モジュール（20）の構成を変更したものである。
【０２１５】
この冷却加熱モジュール（20）は、図２６に示すように、筒状に形成された上記エレクトロカロリック冷却材料（21）（81）の内周面及び外周面に電極（22）（82，83）が設けられたベースモジュール（85）を備えている。
【０２１６】
具体的には、冷却加熱モジュール（20）は、伝熱管（81）と外周側電極（82）と内周側電極（83）とを備えている。外周側電極（82）は、筒状の外周側本体部（82a）と、外周側本体部（82a）の内周面に形成された環板状の外周側伝熱部（82b）と、外周側本体部（82a）の外周面に形成された環状の外周側フィン（82c）とが一体に形成されたものである。内周側電極（83）は、筒状の内周側本体部（83a）と、内周側本体部（83a）の外周面に形成された環板状の内周側伝熱部（83b）と、内周側本体部（83a）の内周面に形成された内周側フィン（83c）とが一体に形成されたものである。
【０２１７】
上記外周側伝熱部（82b）と内周側伝熱部（83b）は、冷却加熱モジュール（20）の軸方向に交互に位置している。また、外周側伝熱部（82b）の内周側端部は内周側本体部（83a）の外周面との間にわずかな隙間が形成されるように構成されている。内周側伝熱部（83b）の外周側端部は外周側本体部（82a）の内周面との間にわずかな隙間が形成されるように構成されている。以上の構成により、外周側電極（82）と内周側電極（83）の間にはラビリンス状の空間が形成されている。
【０２１８】
そして、上記伝熱管（81）は、エレクトロカロリック冷却材料（21）により上記ラビリンス状の空間に一致する形状に形成され、該伝熱管（81）の外周側に上記外周側電極（82）が装着され、内周側に上記内周側電極（83）が装着されている。上記伝熱管（81）、外周側電極（82）及び内周側電極（83）は、例えば周方向に２分割した形状にして、各分割部分を組み合わせることにより円筒状になるように構成することができる。
【０２１９】
この実施形態の冷却加熱モジュール（20）は、空気調和装置（1）に２つ設け、一方で冷却動作を行いながら他方で加熱動作を行うように構成することができる。具体的には、一方の冷却加熱モジュール（20）に電界を印加すると、冷却加熱モジュール（20）の全体が発熱し、そのときに排出空気（EA）を冷却加熱モジュール（20）の外周面に流すことにより、熱を室外に放出することができる。このとき供給空気（SA）は室内へは供給しない。
【０２２０】
他方の冷却加熱モジュール（20）への電界の印加を解除すると、冷却加熱モジュール（20）の全体が吸熱し、そのときに供給空気（SA）を実線の矢印の方向へ流すことにより、冷却した空気を室内に供給することができる。このとき、排出空気（EA）の流れは停止している。
【０２２１】
以上の冷却動作と加熱動作を、２つの冷却加熱モジュール（20）の一方で冷却動作を行っているときに他方で加熱動作を行い、２つの冷却加熱モジュール（20）の一方で加熱動作を行っているときに他方で冷却動作を行うように交互に切り換えると、室内を連続的に冷却できる。
【０２２２】
また、冷却加熱モジュール（20）に電界を印加するときに供給空気（SA）を室内へ供給し、冷却加熱モジュール（20）への電界の印加を解除するときに排出空気（EA）を冷却加熱モジュール（20）の周囲に流すようにして、２つの冷却加熱モジュール（20）で加熱運転と冷却運転を交互に繰り返すと、室内を連続的に加熱できる。
【０２２３】
このように、本実施形態の冷却加熱モジュール（20）を用いると、空気調和装置（1）において冷房や暖房も行う構成を容易に実現できる。
【０２２４】
《発明の実施形態７》
本発明の実施形態７は、冷却加熱モジュール（20）に関するものである。
【０２２５】
この冷却加熱モジュール（20）は、図２７に示すように、ブロック状に形成されたエレクトロカロリック冷却材料（21）からなる伝熱体（91）を挟んで両側に電極（92，93）が設けられたベースモジュール（95）を備えている。この冷却加熱モジュール（20）は、建物の壁（2a）や窓などに取り付けられたケーシング（15）内に設置されている。ケーシング（15）内には、室内側に給気ファン（30a）が設けられ、室外側に排気ファン（30b）が設けられている。なお、ケーシング（15）内には、図示していないが冷却加熱モジュール（20）も設けられている。
【０２２６】
冷却加熱モジュール（20）は、伝熱体（91）と第１電極（92）と第２電極（93）とを備えている。第１電極（92）は、室内側本体部（92a）と、室内側本体部（92a）の外側端面の室内側伝熱部（92b）と、室内側本体部（92a）の内側端面の室内側フィン（92c）とが一体に形成されたものである。第２電極（93）は、室外側本体部（93a）と、室外側本体部（93a）の内側端面の室外側伝熱部（93b）と、室外側本体部（93a）の外側端面の室外側フィン（93c）とが一体に形成されたものである。
【０２２７】
上記室内側伝熱部（92b）と室外側伝熱部（93b）は、図における冷却加熱モジュール（20）の上下方向に交互に位置している。室内側伝熱部（92b）と室外側伝熱部（93b）は、互いに噛み合うように配置される一方、第１電極（92）と第２電極（92）が互いに接触しないように形成されている。また、室内側伝熱部（92b）と室外側伝熱部（93b）が互いに噛み合っている部分には空間が形成されている。
【０２２８】
そして、上記伝熱体（91）は、エレクトロカロリック冷却材料（21）により室内側伝熱部（92b）と室外側伝熱部（93b）の間の空間形状に一致する形状に形成され、該伝熱体（91）の室内側に上記第１電極（92）が装着され、室外側に上記第２電極（93）が装着されている。
【０２２９】
この実施形態の冷却加熱モジュール（20）は、空気調和装置（1）に２つ設け、一方で冷却動作を行いながら他方で加熱動作を行うように構成することができる。具体的には、一方の冷却加熱モジュール（20）に電界を印加すると、冷却加熱モジュール（20）の全体が発熱し、そのときに排出空気（EA）を冷却加熱モジュール（20）の室外側に流すことにより、熱を室外に放出することができる。このとき供給空気（SA）は室内へは供給しない。
【０２３０】
他方の冷却加熱モジュール（20）への電界の印加を解除すると、冷却加熱モジュール（20）の全体が吸熱し、そのときに供給空気（SA）を矢印の方向へ流すことにより、冷却した空気を室内に供給することができる。このとき、排出空気（EA）の流れは停止している。
【０２３１】
以上の冷却動作と加熱動作を２つの冷却加熱モジュール（20）で交互に行うことにより、室内を連続的に冷却できる。
【０２３２】
また、冷却加熱モジュール（20）に電界を印加するときに供給空気（SA）を室内へ供給し、冷却加熱モジュール（20）への電界の印加を解除するときに排出空気（EA）を冷却加熱モジュール（20）の周囲に流すようにして、２つの冷却加熱モジュール（20）で加熱運転と冷却運転を交互に繰り返すと、室内を連続的に加熱できる。
【０２３３】
このように、本実施形態の冷却加熱モジュール（20）を用いると、空気調和装置（1）において冷房や暖房も行う構成を容易に実現できる。
【０２３４】
《発明の実施形態８》
図２８〜図３１に示す本発明の実施形態８は、冷却加熱モジュール（20）に関するものである。
【０２３５】
この冷却加熱モジュール（20）は、エレクトロカロリック冷却材料（21）で形成された複数のフィン（102）と、該フィン（102）を搬送する駆動部材（101）を備え、空気通路内で上記エレクトロカロリック冷却材料（21）への電界の印加と解除を切り換えるように構成した例である。図２８は冷却加熱モジュール（20）の横断面構造図、図２９は縦断面構造図、図３０は平面構造図である。また、図３１はフィン（102）の構造図である。
【０２３６】
図において、冷却加熱モジュール（20）は建物の壁（2a）に形成されている孔（2b）を貫通し、一端が室内側に位置し、他端が室外側に位置している。室内側の端部には給気ファン（30a）が配置され、室外側の端部には排気ファン（30b）が配置されている。
【０２３７】
この冷却加熱モジュール（20）は、室内側と室外側に設けられたプーリ（図示せず）にかけられた駆動部材としてのベルト（101）と、このベルト（101）の表面に連続して配置された多数のフィン（102）とを有している。このフィン（102）は、自己発熱体（エレクトロカロリック冷却材料（21））によりプレート状に形成されている。具体的には、フィン（102）は、図３１に示すように、正面から視たときに先端部が湾曲した形状で、基端部（102a）が屈曲している。
【０２３８】
上記フィン（102）は、支持部になる基端部（102a）側でベルト（101）に連結されている。そして、図２８に示すように、ベルト（101）の直線部では複数のフィン（102）が互いに重なる一方、ベルト（101）の両端の曲線部では展開されるようになっている。また、直線部でフィン（102）が重なった状態では、図２９に示すように、外縁が孔（2b）に沿った円弧形状となる。
【０２３９】
上記ベルト（101）に沿って冷却用電極（103）と加熱用電極（104）とが設けられている。冷却用電極（103）と加熱用電極（104）は、図２８における室外側の右下部分と、室内側の左上部分とで互いに切り離されている。また、フィン（102）は、図３１（Ａ）における基端部の左右の一端側の表面と、左右の他端側の表面で冷却用電極（103）または加熱用電極（104）と電気的に接触するように構成されている。このことにより、フィン（102）に上記加熱用電極（104）及び冷却用電極（103）から電界が印加されるとフィン（102）が発熱する。
【０２４０】
冷房運転時には冷却用電極（103）からフィン（102）に電界が印加されて加熱用電極（104）からの電界の印加は解除される。ベルト（101）は図２８の矢印の方向に回転しているので、図の左側でフィン（102）が展開した部分においてフィン（102）は冷却されており、該フィン（102）の周囲の空気が冷却され、図の右側でフィン（102）が展開した部分においてフィン（102）は発熱しており、該フィン（102）の周囲の空気が加熱される。この状態でベルト（101）を連続回転させることにより、室内の冷房運転を連続して行うことができる。
【０２４１】
また、暖房運転時には加熱用電極（104）からフィン（102）に電荷が印加されて冷却用電極（103）からの電界の印加は解除される。このとき、図の右側の冷却されているフィン（102）が展開した部分において室外空気が冷却され、図の左側の加熱されているフィン（102）が展開した部分においてフィン（102）の周囲の室内空気が加熱される。この状態でベルト（101）を連続回転させることにより、暖房運転を連続して行うことができる。
【０２４２】
《その他の実施形態》
上記実施形態については、以下のような構成としてもよい。
【０２４３】
例えば、上記各実施形態においては、ケーシング（10）内に取り込んだ室内空気を冷却加熱モジュール（20）で処理して室内（3）に供給する一方、ケーシング（10）内に取り込んだ室外空気を冷却加熱モジュール（20）で処理して室外に排出する循環方式を採用しているが、ケーシング（10）内に取り込んだ室外空気を冷却加熱モジュール（20）で処理して室内（3）に供給する一方、ケーシング（10）内に取り込んだ室内空気を冷却加熱モジュール（20）で処理して室外に排出する換気方式を採用してもよい。
【０２４４】
また、上記各実施形態において説明している冷却加熱モジュール（20）の具体的な構成は、空気調和装置（1）の装置構成に応じて適宜変更してもよい。
【０２４５】
さらには、空気調和装置（1）の構成も、冷房運転や暖房運転、あるいは除湿冷房運転や加湿暖房運転を行える限りは適宜変更してもよい。
【０２４６】
なお、以上の実施形態は、本質的に好ましい例示であって、本発明、その適用物、あるいはその用途の範囲を制限することを意図するものではない。
【産業上の利用可能性】
【０２４７】
以上説明したように、本発明は、室内の温度を調節するための空気調和装置装置について有用である。
【符号の説明】
【０２４８】
1   空気調和装置
5   冷却加熱ユニット
20  冷却加熱モジュール
21  エレクトロカロリック冷却材料
22  電極
25  電源
35  電圧制御器
101 駆動部材
102 フィン
P   空気通路
【図１】
2013160460.tif 000003
【図２】
2013160460.tif 000004
【図３】
2013160460.tif 000005
【図４】
2013160460.tif 000006
【図５】
2013160460.tif 000007
【図６】
2013160460.tif 000008
【図７】
2013160460.tif 000009
【図８】
2013160460.tif 000010
【図９】
2013160460.tif 000011
【図１０】
2013160460.tif 000012
【図１１】
2013160460.tif 000013
【図１２】
2013160460.tif 000014
【図１３】
2013160460.tif 000015
【図１４】
2013160460.tif 000016
【図１５】
2013160460.tif 000017
【図１６】
2013160460.tif 000018
【図１７】
2013160460.tif 000019
【図１８】
2013160460.tif 000020
【図１９】
2013160460.tif 000021
【図２０】
2013160460.tif 000022
【図２１】
2013160460.tif 000023
【図２２】
2013160460.tif 000024
【図２３】
2013160460.tif 000025
【図２４】
2013160460.tif 000026
【図２５】
2013160460.tif 000027
【図２６】
2013160460.tif 000028
【図２７】
2013160460.tif 000029
【図２８】
2013160460.tif 000030
【図２９】
2013160460.tif 000031
【図３０】
2013160460.tif 000032
【図３１】
2013160460.tif 000033